(57)【要約】【課題】ＭＭＥの負荷を軽減する中継装置、無線端末装置、通信システム及び通信方法を提供する。【解決手段】予め定めたサービス又はグループに係る無線端末装置、中継装置、中継装置と接続する基地局装置、ゲートウェイ装置、及び移動管理装置を備える通信システムにおいて、中継装置において、登録処理部は、自装置の登録を要求することを示す第1の登録要求信号を前記移動管理装置に対して送信し、自装置と前記ゲートウェイ装置との間の通信経路を示す第１の通信経路情報を受信し、機器判定部は、前記基地局装置に接続する装置として自装置の登録を要求することを示す第1の登録要求信号を前記移動管理装置に対して送信し、自装置と前記ゲートウェイ装置との間の通信経路を示す第１の通信経路情報を受信し、データ転送部は、第１の通信経路情報が示す通信経路を用いてデータを転送する。【選択図】図１
2013239817.tif 000002
【特許請求の範囲】
【請求項１】
自装置の登録を要求することを示す第1の登録要求信号を移動管理装置に対して送信し、自装置とゲートウェイ装置との通信経路を示す第１の通信経路情報を受信する登録処理部と、
予め定めたグループ又はサービスに係る無線端末装置から接続を要求することを示す接続要求信号を受信し、当該接続要求信号に基づいて前記無線端末装置に係るデータを転送するか否かを判断する機器判定部と、
前記第１の通信経路情報が示す通信経路を用いて前記無線端末装置に係るデータを転送するデータ転送部を備えること
を特徴とする中継装置。
【請求項２】
前記登録処理部は、
前記無線端末装置の登録を要求することを示す第２の登録要求信号を前記移動管理装置に対して送信し、前記無線端末装置と前記ゲートウェイ装置との間の通信経路を示す第２の通信経路情報を受信し、前記第２の通信経路情報を前記無線端末装置に送信すること、を特徴とする請求項１に記載の中継装置。
【請求項３】
前記登録処理部は、
前記無線端末装置の登録を要求することを示す登録要求信号を当該無線端末装置から受信し、受信した当該登録要求信号を前記第２の登録要求信号として送信すること、を特徴とする請求項２に記載の中継装置。
【請求項４】
前記第１の通信経路情報が表す通信経路を用いてデータを転送するか、前記第２の通信経路情報が表す通信経路を用いてデータを転送するかを判定するモード判定部と、を備えることを特徴とする請求項３に記載の中継装置。
【請求項５】
前記モード判定部は、
自装置に接続されている基地局装置を他の基地局装置に変更する際、前記第１の通信経路情報が表す通信経路を用いてデータを転送すると判定すること、を特徴とする請求項４に記載の中継装置。
【請求項６】
前記第１の通信経路情報が表す通信経路を用いてデータを転送すると判定したとき、当該通信経路を用いてデータを転送することを示す通信モード信号を前記無線端末装置に送信するモード制御部を備えること、を特徴とする請求項４に記載の中継装置。
【請求項７】
前記登録処理部は、
前記自装置に接続されていた基地局装置を他の基地局装置に変更した後、前記無線端末装置の登録を要求することを示す第２の登録要求信号を前記移動管理装置に対して送信すること、を特徴とする請求項５に記載の中継装置。
【請求項８】
前記無線端末装置に対して各々異なるアドレスを割り当てるアドレス管理部を備えることを特徴とする請求項１に記載の中継装置。
【請求項９】
予め定めたサービス又はグループに係る自装置と中継装置との接続を要求することを示す接続要求信号を前記中継装置に送信し、前記中継装置が生成したアドレスを受信する通信制御部と、
当該サービス又はグループに係る相手先装置との間で、前記受信したアドレスを用い、前記中継装置とゲートウェイ装置との第１の通信経路を経由してデータを送信又は受信する送受信部と
を備えることを特徴とする無線端末装置。
【請求項１０】
前記通信制御部は、
自装置の登録を要求することを示す登録要求信号を送信し、前記中継装置から当該中継装置とゲートウェイ装置との通信経路を示す第１の通信経路情報が表す通信経路を用いてデータを転送することを示す通信モード信号を受信したとき、前記登録要求信号を送信しないこと、を特徴とする請求項９に記載の無線端末装置。
【請求項１１】
予め定めたサービス又はグループに係る無線端末装置、中継装置、前記中継装置と接続する基地局装置、ゲートウェイ装置、及び移動管理装置を備える通信システムにおいて、
前記中継装置は、
自装置の登録を要求することを示す第1の登録要求信号を前記移動管理装置に対して送信し、自装置と前記ゲートウェイ装置との間の通信経路を示す第１の通信経路情報を受信する登録処理部と、
前記無線端末装置から当該無線端末装置と自装置との接続を要求することを示す接続要求信号を受信し、当該接続要求信号に基づいて前記無線端末装置に係るデータを転送するか否かを判断する機器判定部と、
前記第１の通信経路情報が示す通信経路を用いて前記データを転送するデータ転送部を備えること
を特徴とする通信システム。
【請求項１２】
前記登録処理部は、
前記無線端末装置の登録を要求することを示す第２の登録要求信号を前記移動管理装置に対して送信し、前記無線端末装置と前記ゲートウェイ装置との間の通信経路を示す第２の通信経路情報を受信し、
前記中継装置はさらに、
前記第１の通信経路情報が表す通信経路を用いてデータを転送するか、前記第２の通信経路情報が表す通信経路を用いてデータを転送するかを判定するモード判定部であって、
自装置に接続されている基地局装置を他の基地局装置に変更する際、前記第１の通信経路情報が表す通信経路を用いてデータを転送すると判定するモード判定部と、を備えることを特徴とする請求項１１に記載の通信システム。
【請求項１３】
予め定めたサービス又はグループに係る無線端末装置、中継装置、前記中継装置と接続する基地局装置、ゲートウェイ装置、及び移動管理装置を備える通信システムにおける通信方法であって、
前記中継装置が、前記移動管理装置に対して自装置の登録を要求することを示す第1の登録要求信号を送信し、自装置と前記ゲートウェイ装置との間の通信経路を示す第１の通信経路情報を受信する第1の過程と、
前記中継装置が、無線端末装置から当該無線端末装置と自装置との接続を要求することを示す接続要求信号を受信し、当該接続要求信号に基づいて前記無線端末装置に係るデータを転送するか否かを判断する第２の過程と、
前記中継装置が、前記第１の通信経路情報が示す通信経路を用いて前記データを転送する第３の過程と
を有することを特徴とする通信方法。
【発明の詳細な説明】
【技術分野】
【０００１】
本発明は、中継装置、無線端末装置、通信システム及び通信方法に関する。
【背景技術】
【０００２】
従来から利用者の判断を介することなく機器間で自律的に行われるマシンタイプ通信（Ｍａｃｈｉｎｅ  Ｔｙｐｅ  Ｃｏｍｍｕｎｉｃａｔｉｏｎ；ＭＴＣ、マシン通信とも言う）システムが開発されている。マシンタイプ通信では、自動販売機等の遠隔管理、電力やガス等の公益サービスの使用料の管理等、多岐にわたる応用が試みられている。非特許文献１には、複数のＭＴＣ専用端末（ＭＴＣデバイス）を備える無線通信網の類型について記載されている。
【先行技術文献】
【非特許文献】
【０００３】
【非特許文献１】３ＧＰＰ  ＴＳ  ２２．３６８  Ｓｅｒｖｉｃｅ  Ｒｅｑｕｉｒｅｍｅｎｔｓ  ｆｏｒ  Ｍａｃｈｉｎｅ−Ｔｙｐｅ  Ｃｏｍｍｕｎｉｃａｔｉｏｎｓ  （ＭＴＣ）  Ｓｔａｇｅ  １、３ＧＰＰ  Ｏｒｇａｎｉｚａｔｉｏｎａｌ  Ｐａｒｔｎｅｒｓ、２０１１．２、Ｖ１０．３．１
【発明の概要】
【発明が解決しようとする課題】
【０００４】
しかしながら、非特許文献１に記載の無線通信ネットワークにＭＴＣデバイスが一斉にアクセスすると、端末の移動管理を行うＭＭＥ（Ｍｏｂｉｌｉｔｙ  Ｍａｎａｇｅｍｅｎｔ  Ｅｎｔｉｔｙ；移動管理装置）とのシグナリングが集中してＭＭＥの負荷が過大になり、処理が輻輳することがあった。このことは、データの送受信が失敗する原因になっていた。
【０００５】
本発明は上記の点に鑑みてなされたものであり、ＭＭＥの負荷を軽減する中継装置、無線端末装置、通信システム及び通信方法を提供する。
【課題を解決するための手段】
【０００６】
（１）本発明は上記の課題を解決するためになされたものであり、本発明の一態様は、自装置の登録を要求することを示す第1の登録要求信号を移動管理装置に対して送信し、自装置とゲートウェイ装置との通信経路を示す第１の通信経路情報を受信する登録処理部と、予め定めたグループ又はサービスに係る無線端末装置から接続を要求することを示す接続要求信号を受信し、当該接続要求信号に基づいて前記無線端末装置に係るデータを転送するか否かを判断する機器判定部と、前記第１の通信経路情報が示す通信経路を用いて前記無線端末装置に係るデータを転送するデータ転送部を備えることを特徴とする中継装置である。
【０００７】
（２）本発明のその他の態様は、上述の中継装置であって、前記登録処理部は、前記無線端末装置の登録を要求することを示す第２の登録要求信号を前記移動管理装置に対して送信し、前記無線端末装置と前記ゲートウェイ装置との間の通信経路を示す第２の通信経路情報を受信し、前記第２の通信経路情報を前記無線端末装置に送信すること、を特徴とする。
【０００８】
（３）本発明のその他の態様は、上述の中継装置であって、前記登録処理部は、前記無線端末装置の登録を要求することを示す登録要求信号を当該無線端末装置から受信し、受信した当該登録要求信号を前記第２の登録要求信号として送信すること、を特徴とする。
【０００９】
（４）本発明のその他の態様は、上述の中継装置であって、前記第１の通信経路情報が表す通信経路を用いてデータを転送するか、前記第２の通信経路情報が表す通信経路を用いてデータを転送するかを判定するモード判定部と、を備えることを特徴とする。
【００１０】
（５）本発明のその他の態様は、上述の中継装置であって、前記モード判定部は、自装置に接続されている基地局装置を他の基地局装置に変更する際、前記第１の通信経路情報が表す通信経路を用いてデータを転送すると判定すること、を特徴とする。
【００１１】
（６）本発明のその他の態様は、上述の中継装置であって、前記第１の通信経路情報が表す通信経路を用いてデータを転送すると判定したとき、当該通信経路を用いてデータを転送することを示す通信モード信号を前記無線端末装置に送信するモード制御部を備えること、を特徴とする。
【００１２】
（７）本発明のその他の態様は、上述の中継装置であって、前記登録処理部は、前記自装置に接続されていた基地局装置を他の基地局装置に変更した後、前記無線端末装置の登録を要求することを示す第２の登録要求信号を前記移動管理装置に対して送信すること、を特徴とする。
【００１３】
（８）本発明のその他の態様は、上述の中継装置であって、前記無線端末装置に対して各々異なるアドレスを割り当てるアドレス管理部を備えることを特徴とする。
【００１４】
（９）本発明のその他の態様は、予め定めたサービス又はグループに係る自装置と中継装置との接続を要求することを示す接続要求信号を前記中継装置に送信し、前記中継装置が生成したアドレスを受信する通信制御部と、当該サービス又はグループに係る相手先装置との間で、前記受信したアドレスを用い、前記中継装置とゲートウェイ装置との第１の通信経路を経由してデータを送信又は受信する送受信部とを備えることを特徴とする無線端末装置である。
【００１５】
（１０）本発明のその他の態様は、上述の無線端末装置であって、前記通信制御部は、自装置の登録を要求することを示す登録要求信号を送信し、前記中継装置から当該中継装置とゲートウェイ装置との通信経路を示す第１の通信経路情報が表す通信経路を用いてデータを転送することを示す通信モード信号を受信したとき、前記登録要求信号を送信しないこと、を特徴とする。
【００１６】
（１１）本発明のその他の態様は、予め定めたサービス又はグループに係る無線端末装置、中継装置、前記中継装置と接続する基地局装置、ゲートウェイ装置、及び移動管理装置を備える通信システムにおいて、前記中継装置は、自装置の登録を要求することを示す第1の登録要求信号を前記移動管理装置に対して送信し、自装置と前記ゲートウェイ装置との間の通信経路を示す第１の通信経路情報を受信する登録処理部と、前記無線端末装置から当該無線端末装置と自装置との接続を要求することを示す接続要求信号を受信し、当該接続要求信号に基づいて前記無線端末装置に係るデータを転送するか否かを判断する機器判定部と、前記第１の通信経路情報が示す通信経路を用いて前記データを転送するデータ転送部を備えることを特徴とする通信システムである。
【００１７】
（１２）本発明のその他の態様は、上述の通信システムであって、前記登録処理部は、前記無線端末装置の登録を要求することを示す第２の登録要求信号を前記移動管理装置に対して送信し、前記無線端末装置と前記ゲートウェイ装置との間の通信経路を示す第２の通信経路情報を受信し、前記中継装置はさらに、前記第１の通信経路情報が表す通信経路を用いてデータを転送するか、前記第２の通信経路情報が表す通信経路を用いてデータを転送するかを判定するモード判定部であって、自装置に接続されている基地局装置を他の基地局装置に変更する際、前記第１の通信経路情報が表す通信経路を用いてデータを転送すると判定するモード判定部と、を備えることを特徴とする。
【００１８】
（１３）本発明のその他の態様は、予め定めたサービス又はグループに係る無線端末装置、中継装置、前記中継装置と接続する基地局装置、ゲートウェイ装置、及び移動管理装置を備える通信システムにおける通信方法であって、前記中継装置が、前記移動管理装置に対して自装置の登録を要求することを示す第1の登録要求信号を送信し、自装置と前記ゲートウェイ装置との間の通信経路を示す第１の通信経路情報を受信する第1の過程と、前記中継装置が、無線端末装置から当該無線端末装置と自装置との接続を要求することを示す接続要求信号を受信し、当該接続要求信号に基づいて前記無線端末装置に係るデータを転送するか否かを判断する第２の過程と、前記中継装置が、前記第１の通信経路情報が示す通信経路を用いて前記データを転送する第３の過程とを有することを特徴とする通信方法である。
【発明の効果】
【００１９】
本発明の実施例によれば、無線通信システムの端末管理を行う移動管理装置（ＭＭＥ）の負荷が軽減する。
【図面の簡単な説明】
【００２０】
【図１】本発明の第１の実施形態に係る通信システムを表す概略図である。
【図２】本実施形態に係るＲＮの構成を示す概略図である。
【図３】本実施形態に係るＭＴＣサービス情報の一例を表す図である。
【図４】本実施形態に係るＭＴＣグループ情報の一例を表す図である。
【図５】本実施形態に係るアドレス情報の一例を表す図である。
【図６】本実施形態に係る基地局装置の構成を表す概略図である。
【図７】本実施形態に係るＭＴＣ端末装置の構成を表す概略図である。
【図８】本実施形態に係る通信処理を表すシーケンス図である。
【図９】本発明の第２の実施形態に係るＲＮの構成を表す概略図である。
【図１０】本実施形態に係るＭＴＣ端末装置の構成を表す概略図である。
【図１１】本実施形態に係る通信処理を表すシーケンス図である。
【図１２】本発明の第３の実施形態に係るＲＮの構成を表す概略図である。
【図１３】本実施形態に係るＭＴＣ端末装置の構成を表す概略図である。
【図１４】本実施形態に係る通信処理を表すシーケンス図である。
【図１５】本発明の第４の実施形態に係る通信システムを表す概略図である。
【図１６】本実施形態に係るＲＮの構成を表す概略図である。
【図１７】本実施形態に係る基地局装置の構成を表す概略図である。
【図１８】本実施形態に係る通信処理を表すシーケンス図である。
【図１９】本実施形態に係る通信処理の変形例を表すシーケンス図である。
【発明を実施するための形態】
【００２１】
（第１の実施形態）
以下、図面を参照しながら本発明の第１の実施形態について説明する。
図１は、本実施形態に係る通信システム１を表す概略図である。
本実施形態に係る通信システム１は、ＲＮ（Ｒｅｌａｙ  Ｎｏｄｅ；リレーノード、中継装置）１１、基地局装置１２、ＭＭＥ（Ｍｏｂｉｌｉｔｙ  Ｍａｎａｇｅｍｅｎｔ  Ｅｎｔｉｔｙ；移動管理装置）１３、ＨＳＳ（Ｈｏｍｅ  Ｓｕｂｓｃｒｉｂｅｒ  Ｓｅｒｖｅｒ；加入者装置）１４、Ｓ／Ｐ−ＧＷ（Ｓｅｒｖｉｎｇ  Ｇａｔｅｗａｙ；ゲートウェイ装置／Ｐａｃｋｅｔ  Ｄａｔａ  Ｎｅｔｗｏｒｋ  Ｇａｔｅｗａｙ；パケットデータネットワーク）１５、ＭＴＣ（Ｍａｃｈｉｎｅ  Ｔｙｐｅ  Ｃｏｍｍｕｎｉｃａｔｉｏｎ；マシンタイプ通信）サーバ装置１６、ＭＴＣ端末装置１７、ＯＡＭ（Ｏｐｅｒａｔｉｏｎ  ａｎｄ  Ｍａｉｎｔｅｎａｎｃｅ；運用保守サーバ装置）１８、ＲＡＮ（Ｒａｄｉｏ  Ａｃｃｅｓｓ  Ｎｅｔｗｏｒｋ；無線アクセスネットワーク）５１、ＣＮ（Ｃｏｒｅ  Ｎｅｔｗｏｒｋ；コアネットワーク、基幹網とも呼ばれる）５２及びＷＡＮ（Ｗｉｄｅ  Ａｒｅａ  Ｎｅｔｗｏｒｋ；広域ネットワーク）５３を含んで構成される。
【００２２】
ＲＡＮ５１は、基地局装置１２、ＲＮ１１及びＭＴＣ端末装置１７を無線で接続するネットワークである。ＲＡＮ５１において、接続に用いられるプロトコルは、例えば、ＲＲＣ（Ｒａｄｉｏ  Ｒｅｓｏｕｒｃｅ  Ｃｏｎｔｒｏｌ；無線リソース制御）プロトコルである。
ＣＮ５２は、ＭＭＥ１３、ＨＳＳ１４、及びＳ／Ｐ−ＧＷ１５を有線又は無線で接続するネットワークである。
ＷＡＮ５３は、少なくともＳ／Ｐ−ＧＷ１５とＭＴＣサーバ装置１６を構成要素（エンティティ）として接続する広域のネットワーク（例えば、インターネット）である。
【００２３】
ＲＮ１１は、基地局装置１２及びＭＴＣ端末装置１７の間で送受信されるデータを中継する。ＲＮ１１は、ＭＴＣ端末装置１７との間でデータを送受信し、基地局装置１２との間でデータを送受信する。ＲＮ１１は、ＭＴＣ端末装置１７から受信したデータを基地局装置１２に送信し、基地局装置１２から受信したデータをＭＴＣ端末装置１７に送信する。ＲＮ１１は、自装置と基地局装置１２との接続を要求することを表す接続要求信号を生成し、生成した接続要求信号を基地局装置１２に送信する。ＲＮ１１は、その後、基地局装置１２から通信が可能であることを示す接続応答信号を受信する。ＲＮ１１は、接続要求信号を送信した後、予め定めた時間（例えば、９０秒）以内に接続応答信号を受信しない場合には、接続に失敗したと判断して接続処理を終了する。
【００２４】
本実施形態では、ＲＮ１１は、通信システム１のネットワーク（例えば、ＲＡＮ５１）に接続する装置として自装置の登録を要求することを示す第１の登録要求信号をＭＭＥ１３に対して予め送信しておく。第１の登録要求信号は、上述の接続要求信号とは別個の信号である。ＲＮ１１は、自装置とＳ／Ｐ−ＧＷ１５との間で基地局装置１２を経由する通信経路を示す第１の通信経路情報を受信する。ＲＮ１１は、ＭＴＣ端末装置１７からＭＴＣ端末装置１７と自装置との接続を要求することを示す接続要求信号を受信し、受信した接続要求信号に基づいてＭＴＣ端末装置１７に係るデータを転送するか否かを判断する。ＭＴＣ端末装置１７に係るデータとは、ＭＴＣ端末装置１７から受信したデータ、ＭＴＣ端末装置１７へ送信するデータ、両者を含む。ＲＮ１１は、Ｓ／Ｐ−ＧＷ１５に接続されたＭＴＣサーバ装置１６との間で、受信した通信経路情報が示す通信経路を用いてデータを転送する。
ＲＮ１１は、ＭＭＥ１３から後述する登録受付信号を受信した後、サービス設定情報要求信号を生成する。サービス設定情報要求信号とは、送信先装置（例えば、ＭＴＣサーバ装置１６）に対してサービス設定情報（後述）を要求することを表す信号である。サービス設定情報とは、ＭＴＣサービスを提供するために用いる設定情報である。ＲＮ１１は、登録受付信号に含まれるベアラ情報（後述）に基づいて、Ｓ／Ｐ−ＧＷ１５を経由して、ＭＴＣサーバ装置１６にサービス設定情報を送信する。ＲＮ１１は、ＭＴＣサーバ装置１６からサービス設定情報を受信する。ＲＮ１１の構成については、後述する。
【００２５】
基地局装置１２は、ＭＴＣ端末装置１７との間で、ＲＮ１１を経由して無線でデータを送受信する基地局装置である。基地局装置１２は、他の端末装置（例えば、携帯電話機、携帯情報端末装置、等）と直接データを送受信してもよい。基地局装置１２は、例えば、ＤｅＮＢ（Ｄｏｎｏｒ  ｅＮｏｄｅＢ、ドナー基地局装置）である。
基地局装置１２は、送信元装置であるＲＮ１１から接続要求信号を受信したとき、通信が可能であることを表す接続応答信号を生成する。基地局装置１２は、生成した接続応答信号を送信元装置に送信する。
基地局装置１２は、ＲＮ１１から受信した信号を、送信先装置（例えば、ＭＭＥ１３、Ｓ／Ｐ−ＧＷ１５）に送信する。
【００２６】
ＭＭＥ１３は、送信元装置（例えば、ＲＮ１１）から基地局装置１２を経由して登録要求信号（第１の登録要求信号）を受信する。ＭＭＥ１３は、受信した登録要求信号に係る送信元装置が正当なユーザであるか否かを照会するユーザ照会信号をＨＳＳ１４に送信し、その後、ＨＳＳ１４からユーザ情報を受信する。受信したユーザ情報が正当なユーザであることを示すユーザ情報を受信した場合、ベアラ設定要求信号を生成し、生成したベアラ設定要求信号をＳ／Ｐ−ＧＷ１５に送信する。ベアラ設定要求信号は、送信元装置と送信先装置（例えば、Ｓ／Ｐ−ＧＷ１５）との間のベアラ（通信経路）の設定を要求することを表す信号である。ＭＭＥ１３は、登録要求信号が示す登録の対象の機器を上述の送信元装置と定める。
【００２７】
ＭＭＥ１３は、その後、Ｓ／Ｐ−ＧＷ１５からベアラ情報を受信し、受信した登録要求信号を送信元装置からの登録を受け付けたことを表す登録受付信号を生成する。登録受付信号には、受信したベアラ情報を含む。ＭＭＥ１３は、生成した登録受付信号を送信元装置に送信する。
ＭＭＥ１３は、ベアラ設定要求信号を送信した後、予め定めた時間（例えば、９０秒）以内にベアラ情報を受信しない場合には、登録処理に失敗したと判断する。また、ＭＭＥ１３は、ユーザ照会信号を送信した後、予め定めた時間（例えば、９０秒）以内にユーザ情報を受信しない場合、又は受信したユーザ情報が正当なユーザでないことを表す場合も、登録処理に失敗したと判断する。登録処理に失敗したと判断した場合、ＭＭＥ１３は、登録に失敗したことを表す登録失敗信号を生成し、生成した登録失敗信号を送信元装置に送信する。
なお、ＭＭＥ１３は、送信元装置であるＭＴＣ端末装置１７からＲＮ１１及び基地局装置１２を経由して受信した登録要求信号（第２の登録要求信号）に基づいて、ユーザ照会信号の送信、ベアラ設定要求信号の送信、登録受付信号の送信を行う。
【００２８】
ＭＭＥ１３は、登録要求信号に係る送信元装置（例えば、ＲＮ１１）のユーザが正当なユーザであるか否かを照会することを示すユーザ照会信号をＨＳＳ１４に送信し、その後、ＨＳＳ１４からユーザ情報を受信する。ＭＭＥ１３は、受信したユーザ情報が正当なユーザであることを示すユーザ情報を受信した場合、ベアラ設定要求信号を生成し、生成したベアラ設定要求信号をＳ／Ｐ−ＧＷ１５に送信する。ベアラ設定要求信号は、送信元装置と送信先装置（例えば、Ｓ／Ｐ−ＧＷ１５）との間のベアラ（通信経路）の設定を要求することを表す信号である。
なお、ＭＭＥ１３は、登録更新要求信号が入力された場合も、登録要求信号が入力された場合と同様に、登録更新要求信号に基づいてベアラ設定要求信号の送信、登録受付信号の送信を行う。但し、この場合には、ＭＭＥ１３は、ユーザ照会信号の送信を省略してもよい。また、ＭＭＥ１３は、登録受付信号の代わりに登録更新受付信号を生成し、生成した登録更新受付信号を送信する。
【００２９】
ＨＳＳ１４は、予め正当なユーザと当該ユーザが利用する装置を表すユーザ情報を予め記憶するユーザ情報記憶部を備える。ＨＳＳ１４は、ＭＭＥ１３から受信したユーザ照会信号が表す装置（例えば、ＲＮ１１）をユーザ情報記憶部から検索する。ＨＳＳ１４は、ユーザ情報記憶部からユーザ照会信号が表す装置と一致する装置を表すユーザ情報が検知した場合、正当なユーザであることを表すユーザ情報を生成する。ＨＳＳ１４は、ユーザ情報記憶部からユーザ照会信号が表す装置と一致する装置を表すユーザ情報が検知できなかった場合、正当なユーザでないことを表すユーザ情報を生成する。ＨＳＳ１４は、生成したユーザ情報をＭＭＥ１３に送信する。
【００３０】
Ｓ／Ｐ−ＧＷ１５は、Ｓ−ＧＷ（Ｓｅｒｖｉｎｇ  Ｇａｔｅｗａｙ、サービスゲートウェイ装置）とＰ−ＧＷ（Ｐａｃｋｅｔ  Ｄａｔａ  Ｎｅｔｗｏｒｋ  Ｇａｔｅｗａｙ、パケットデータネットワークゲートウェイ装置）を含んで構成される。Ｓ−ＧＷとＰ−ＧＷが協働していれば、互いに別個に構成されていてもよい。
Ｓ／Ｐ−ＧＷ１５は、ＭＭＥ１３から受信したベアラ設定要求信号が表す送信元装置（例えば、ＲＮ１１）と送信先装置である自己（Ｓ／Ｐ−ＧＷ１５）との間でのベアラを設定する。Ｓ／Ｐ−ＧＷ１５は、送信元装置、Ｓ／Ｐ−ＧＷ１５、及び経由する装置、それぞれのグローバルアドレスを含むベアラ情報を生成する。グローバルアドレスとは、例えばインターネットに接続された機器に一意に割り当てられたアドレスである。例えば、送信元装置がＲＮ１１である場合、経由する装置は基地局装置１２であり、送信元装置がＭＴＣ端末装置１７である場合、経由する装置はＲＮ１１と基地局装置１２である。Ｓ／Ｐ−ＧＷ１５は、生成したベアラ情報をＭＭＥ１３に送信する。
Ｓ／Ｐ−ＧＷ１５は、ＲＮ１１から受信したサービス設定情報要求信号を送信先装置（例えば、ＭＴＣサーバ装置１６）に送信する。Ｓ／Ｐ−ＧＷ１５は、ＭＴＣサーバ装置１６から受信したサービス設定情報をＲＮ１１に送信する
【００３１】
Ｓ／Ｐ−ＧＷ１５は、ＲＮ１１から受信したデータパケットからトンネリングヘッダを除去し、トンネリングヘッダを除去したデータパケットを送信先装置に送信する。トンネリングヘッダは、トンネリングの起点である送信元装置のアドレスと、トンネリングの終点である送信先装置のアドレスを含むデータである。ＭＴＣサーバ装置１６に送信するデータパケットは、送信先アドレスとして、例えばＭＴＣサーバ装置１６のアドレスを含む。
【００３２】
ＭＴＣサーバ装置１６は、ＭＴＣグループに属すサーバ装置、又はあるＭＴＣサービスに係るサーバ装置である。ＭＴＣグループとは、１つのＭＴＣに係る一群の装置からなるグループである。ＭＴＣサービスとは、ＭＴＣを行うことによって提供されるサービスである。
ＭＴＣサーバ装置１６は、ＭＴＣを行って提供するサービスに係るサービス設定情報が予め記憶されている記憶部を備える。サービス設定情報は、提供するサービスにより異なる。例えば、当該サービスが、駐車場の監視サービスである場合には、サービス設定情報には、駐車場の画像を表す画像信号を符号化するための符号化方式情報が含まれる。ＭＴＣサーバ装置１６は、ＲＮ１１からＳ／Ｐ−ＧＷ１５を経由してサービス設定情報要求信号を受信した後、サービス設定情報をＳ／Ｐ−ＧＷ１５を経由してＲＮ１１に送信する。
ＭＴＣサーバ装置１６は、ＭＴＣ端末装置１７からＳ／Ｐ−ＧＷ１５を経由して受信したデータパケットからＭＴＣ端末装置１７が生成したデータを抽出する。ＭＴＣサーバ装置１６は、抽出したデータを用いて予め定めた処理を行う機能部を備える。例えば、抽出したデータが、ＭＴＣ端末装置１７の周囲の駐車場の画像を表す画像信号である場合には、ＭＴＣサーバ装置１６は、その画像信号に基づく画像を表す表示部を備えてもよい。例えば、抽出したデータが、ＭＴＣ端末装置１７が備えるセンサが計測した計測値を表す場合、ＭＴＣサーバ装置１６は、その計測値を画像として表示するデータ表示部を備えてもよい。
【００３３】
ＭＴＣ端末装置１７は、予め定めたＭＴＣグループに属する端末装置、又は予め定めたＭＴＣサービスに係る端末装置であって、ＲＮ１１を経由して無線でデータを送受信する端末装置である。ＭＴＣ端末装置１７は、ＭＴＣグループ又はＭＴＣサービスに係るデータを生成し、生成したデータを含むデータパケットを、ＭＴＣグループ又はＭＴＣサービス毎に予め定められた送信先装置（例えば、ＭＴＣサーバ装置１６）に送信する。
【００３４】
本実施形態では、ＭＴＣ端末装置１７は、自装置とＲＮ１１との接続を要求することを示す接続要求信号をＲＮ１１に送信する。また、ＭＴＣ端末装置１７は、自装置の登録をＭＭＥ１３に要求することを示す登録要求信号をＲＮ１１、基地局装置１２を経由してＭＭＥ１３に送信する。但し、ＭＴＣ端末装置１７は、ＭＴＣ通信モード指定信号をＲＮ１１から受信したとき、登録要求信号を送信しない。ＭＴＣ通信モード指定信号は、ＲＮ１１とＳ／Ｐ−ＧＷ１５との間の通信経路を用いてデータを転送する通信モードで通信することを指定することを示す信号である。ＭＴＣ端末装置１７は、Ｓ／Ｐ−ＧＷ１５に接続されたＭＴＣサーバ装置１６との間で、ＲＮ１１を経由してデータを送信又は受信する
ＭＴＣ端末装置１７の構成については、後述する。
【００３５】
ＯＡＭ１８は、ＲＮ１１や基地局装置１２の設定パラメータ情報と、当該装置を示す識別情報とが各々対応付けて記憶された記憶部を備える。設定パラメータ情報には、例えば、ＲＮ１１や基地局装置１２が、端末装置との間でデータを送受信する際に用いる設定パラメータ（例えば、セルＩＤや周波数帯域、帯域幅等）が含まれる。
ＯＡＭ１８は、ＲＮ１１から設定パラメータ要求信号を受信したとき、ＲＮ１１に設定パラメータ情報を送信する。設定パラメータ要求信号は、設定パラメータ情報を要求することを示す信号である。
【００３６】
次に、ＲＮ１１の構成について説明する。
図２は、本実施形態に係るＲＮ１１の構成を示す概略図である。
ＲＮ１１は、ＭＴＣ処理部１１１、接続要求部１１３、第１送受信部１１４、第１無線ＩＦ部１１５、第２送受信部１１６及び第２無線ＩＦ部１１７、を含んで構成される。
【００３７】
ＭＴＣ処理部１１１は、登録処理部１１１１、データ設定部１１１３、機器判定部１１１４、ＭＴＣ情報記憶部１１１５、アドレス管理部１１１６、アドレス記憶部１１１７、及びデータ転送部１１１８を含んで構成される。
【００３８】
登録処理部１１１１は、上述の登録要求信号を生成し、生成した登録要求信号をＭＭＥ１３に送信する送信信号として第２送受信部１１６に出力する。登録処理部１１１１は、ＭＭＥ１３から受信した受信信号として第２送受信部１１６から登録受付信号が入力される。登録処理部１１１１は、入力された登録受付信号からベアラ情報を抽出し、抽出したベアラ情報をデータ転送部１１１８に出力する。
【００３９】
データ設定部１１１３は、サービス設定情報要求信号を生成し、生成したサービス設定情報要求信号をＳ／Ｐ−ＧＷ１５を経由してＭＴＣサーバ装置１６に送信する送信信号として第２送受信部１１６に出力する。データ設定部１１１３は、ＭＴＣサーバ装置１６からＳ／Ｐ−ＧＷ１５を経由して受信したサービス設定情報として第２送受信部１１６から受信信号が入力される。データ設定部１１１３は、受信したサービス設定情報を設定する。サービス設定情報を設定する処理は、ＭＴＣサービス又はＭＴＣグループによって異なる。例えば、サービス設定情報が駐車場監視サービスに用いる画像符号化方式を表す情報（符号化方式情報）を含む場合には、データ設定部１１１３は、ＭＴＣ端末装置１７に送信する送信信号として、受信したサービス設定情報を第１送受信部１１４に出力する。ＭＴＣ端末装置１７は、ＲＮ１１から受信したサービス設定情報から符号化方式情報を読み出し、読み出した符号化方式情報を画像符号化部又は画像復号部に出力する。これにより、送信元装置であるＭＴＣ端末装置１７が画像データを収集し、収集した画像データを送信先装置であるＭＴＣサーバ装置１６に送信できるようになる。
【００４０】
データ設定部１１１３は、サービス設定情報を設定した後、設定パラメータ要求信号を生成し、生成した設定パラメータ要求信号をＯＡＭ１８への送信信号として第２送受信部１１６に出力する。データ設定部１１１３は、ＯＡＭ１８からの受信信号として第２送受信部１１６から設定パラメータ情報が入力され、入力された設定パラメータ情報を第１送受信部１１４に出力する。第１送受信部１１４は、データ設定部１１１３から入力された設定パラメータ情報を用いてＭＴＣ端末装置１７との間で送信信号を送信又は受信信号を受信する。
【００４１】
機器判定部１１１４は、ＭＴＣ端末装置１７から受信した受信信号として、第１送受信部１１４から接続要求信号が入力される。機器判定部１１１４は、入力された接続要求信号からＭＴＣ端末装置１７を特定する機器識別子、及びＭＴＣグループ識別子もしくはＭＴＣサービス識別子を抽出する。
機器判定部１１１４は、抽出したＭＴＣサービス識別子又はＭＴＣグループ識別子に対応するＭＴＣサービス情報又はＭＴＣグループ情報をＭＴＣ情報記憶部１１１５から読み出す。ＭＴＣ情報記憶部１１１５には、予めＭＴＣサービス情報又はＭＴＣグループ情報を記憶させておく。ＭＴＣサービス情報とは、ＭＴＣサービス識別子、サービス名情報及び送信先装置のアドレス（送信先アドレス）情報を対応付けた情報である。ＭＴＣグループ情報とは、ＭＴＣグループ識別子、グループ名情報及び送信先アドレス情報を対応付けた情報である。
機器判定部１１１４が、ＭＴＣサービス情報又はＭＴＣグループ情報の読み出しに成功した場合、抽出した機器識別子と読み出した送信先アドレス情報をアドレス管理部１１１６に出力する。
【００４２】
アドレス管理部１１１６は、機器判定部１１１４から機器識別子と送信先アドレス情報が入力された後、アドレス記憶部１１１７に記憶されている送信元アドレス情報のいずれとも異なる送信元アドレス情報を生成する。アドレス管理部１１１６が生成する送信元アドレス情報は、ＲＮ１１が認識するローカルアドレスを示す情報であってもよい。これにより、アドレス管理部１１１６は、ＭＴＣ端末装置１７に対して特有の送信元アドレス情報を生成する。アドレス管理部１１１６は、アドレス記憶部１１１７に、機器識別子、生成した送信元アドレス情報、入力された送信先アドレス情報及び最後にＭＴＣ端末装置１７から信号を受信した最終受信時刻情報を対応付けて記憶する。
【００４３】
アドレス管理部１１１６は、生成した送信元アドレス情報を含めて接続応答信号を生成し、生成した接続応答信号をＭＴＣ端末装置１７に送信する送信信号として第１送受信部１１４に出力する。
アドレス管理部１１１６は、最終受信時刻から予め定めた時間（例えば、１時間）を越えてＭＴＣ端末装置１７から信号の受信がない場合には、アドレス記憶部１１１７に記憶した対応する機器識別子、送信元アドレス情報、入力された送信先アドレス情報及び最終受信時刻情報を削除してもよい。これにより、一定時間用いられなかった送信元アドレス情報を無効化して、送信元アドレス情報の枯渇を回避する。
【００４４】
アドレス管理部１１１６は、ＭＴＣ端末装置１７からの受信信号としてアドレス照会信号が第１送受信部１１４から入力されたとき、入力されたアドレス照会信号からＭＴＣサービス識別子又はＭＴＣグループ識別子を抽出する。アドレス管理部１１１６は、抽出したＭＴＣサービス識別子又はＭＴＣグループ識別子に対応するＭＴＣサービス情報又はＭＴＣグループ情報をＭＴＣ情報記憶部１１１５から読み出す。アドレス管理部１１１６は、読み出したＭＴＣサービス情報又はＭＴＣグループ情報に含まれる送信先アドレス情報を含めてアドレス応答信号を生成する。アドレス管理部１１１６は、生成したアドレス応答信号をＭＴＣ端末装置１７への送信信号として第１送受信部１１４に出力する。
【００４５】
データ転送部１１１８には、ＭＴＣ端末装置１７から受信した受信信号として、データパケットが第１送受信部１１４から入力される。データ転送部１１１８は、入力されたデータパケットから送信元アドレス情報を抽出し、抽出した送信元アドレス情報と一致する送信元アドレス情報がアドレス記憶部１１１７にあるか否かを判断する。抽出した送信元アドレス情報と一致する送信元アドレス情報がアドレス記憶部１１１７にあることは、送信元であるＭＴＣ端末装置１７が予め定めたＭＴＣサービス又はＭＴＣグループに関わることを意味する。抽出した送信元アドレス情報と一致する送信元アドレス情報がアドレス記憶部１１１７にない場合とは、例えば、受信したデータパケットが予め定めたＭＴＣサービス又はＭＴＣグループとは無関係の装置からのデータパケットである場合がある。その他、受信したデータパケットに含まれるデータパケットに含まれる送信元アドレス情報がグローバルアドレスを表す場合がある。
【００４６】
抽出した送信元アドレス情報と一致する送信元アドレス情報がアドレス記憶部１１１７にある場合には、データ転送部１１１８は、次の処理を行う。データ転送部１１１８は、抽出した送信元アドレス情報に対応する送信先アドレス情報をアドレス記憶部１１１７から読み出し、入力されたデータパケットのヘッダに格納された送信先アドレス情報を、読み出した送信先アドレス情報に置き換える。置き換えた送信先アドレス情報は、ＭＴＣサービス又はＭＴＣグループに係る送信先装置であるＭＴＣサーバ装置１６のアドレスを表す情報である。データ転送部１１１８は、登録処理部１１１１から入力されたベアラ情報が表す送信元アドレス情報（例えば、ＲＮ１１のアドレス）と、送信先アドレス情報（例えば、Ｓ／Ｐ−ＧＷ１５のアドレス）を含むトンネリングヘッダを生成する。データ転送部１１１８は、送信先アドレス情報を置き換えたデータパケットにトンネリングヘッダを付加し、トンネリングデータパケットを生成する。データ転送部１１１８は、生成したトンネリングデータパケットをベアラ情報が示す通信経路を経由した送信先装置（例えば、ＭＴＣサーバ装置１６）への送信信号として第２送受信部１１６に出力する。これにより、ＭＴＣ端末装置１７からＲＮ１１に送信されたデータパケットが、予め設定した通信経路としてＲＮ１１とＳ／Ｐ−ＧＷ１５を経由してＭＴＣサーバ装置１６に送信される。
【００４７】
抽出した送信元アドレス情報と一致する送信元アドレス情報がアドレス記憶部１１１７にない場合には、データ転送部１１１８は、第１送受信部１１４から入力されたデータパケットを第２送受信部１１６に出力する。これにより、単純に受信信号を送信先装置に中継する。
【００４８】
接続要求部１１３は、接続を要求することを示す接続要求信号を予め生成し、生成した接続要求信号を基地局装置１２に送信する送信信号として第２送受信部１１６に出力する。接続要求部１１３は、基地局装置１２から受信した受信信号として第２送受信部１１６から接続応答信号が入力される。これにより、ＲＮ１１と基地局装置１２との間で接続（例えば、ＲＲＣ接続）が確立する。但し、接続要求部１１３は、接続要求信号を送信してから接続応答信号を受信するまでの時間が予め設定された時間（例えば、９０秒）を越える場合、接続の確立に失敗したと判断し、処理を停止する。
【００４９】
第１送受信部１１４は、ＭＴＣ処理部１１１から入力された送信信号を無線周波数帯域の送信信号に変換し、変換した無線周波数帯域の送信信号を第１無線ＩＦ部１１５に出力する。第１送受信部１１４は、第１無線ＩＦ部１１５から入力された無線周波数帯域の受信信号を基底周波数帯域の受信信号に変換し、変換した受信信号をＭＴＣ処理部１１１に出力する。
【００５０】
第１無線ＩＦ部１１５は、ＭＴＣ端末装置１７と無線で信号を送受信するインタフェースである。第１無線ＩＦ部１１５は、第１送受信部１１４から入力された送信信号を、ＲＡＮ５１を通じて、ＭＴＣ端末装置１７に電波で送信する。第１無線ＩＦ部１１５は、ＲＡＮ５１を通じてＭＴＣ端末装置１７から電波で受信信号を受信し、受信した受信信号を第１送受信部１１４に出力する。
【００５１】
第２送受信部１１６は、ＭＴＣ処理部１１１又は接続要求部１１３から入力された送信信号を無線周波数帯域の送信信号に変換し、変換した無線周波数帯域の送信信号を第２無線ＩＦ部１１７に出力する。第２送受信部１１６は、第２無線ＩＦ部１１７から入力された無線周波数帯域の受信信号を基底周波数帯域の受信信号に変換し、変換した受信信号をＭＴＣ処理部１１１又は接続要求部１１３に出力する。なお、第２送受信部１１６が用いる無線周波数帯域は、第１送受信部１１４が用いる無線周波数帯域とは異なっていてもよい。これにより、ＭＴＣ端末装置１７との送受信にかかる電波と、基地局装置１２との送受信に係る電波との干渉を回避することができる。
【００５２】
第２無線ＩＦ部１１７は、ＭＴＣ端末装置１７と無線で信号を送受信するインタフェースである。第２無線ＩＦ部１１７は、第２送受信部１１６から入力された送信信号を、ＲＡＮ５１を通じて、基地局装置１２に電波で送信する。第２無線ＩＦ部１１７は、ＲＡＮ５１を通じて基地局装置１２から電波で受信信号を受信し、受信した受信信号を第２送受信部１１６に出力する。
【００５３】
次に本実施形態に係るＭＴＣサービス情報について説明する。
図３は、本実施形態に係るＭＴＣサービス情報の一例を表す図である。
図３は、最左段から右側に向かって順に、サービス識別子、サービス名情報及び送信先アドレス情報を示す。図３の最上行から第２行において、サービス識別子Ｓｒｖ１に対応するサービス名情報はサービス１を表し、送信先アドレス情報は１２３．２３１．１３２．０１２を表す。図３の最上行から第３行において、サービス識別子Ｓｒｖ２に対応するサービス名情報はサービス２を表し、送信先アドレス情報は１２３．２３１．１３２．０１３を表す。
【００５４】
次に本実施形態に係るＭＴＣグループ情報について説明する。
図４は、本実施形態に係るＭＴＣグループ情報の一例を表す図である。
図４は、最左段から右側に向かって順に、グループ識別子、グループ名情報及び送信先アドレス情報を示す。図４の最上行から第２行において、グループ識別子Ｇｒｐ１に対応するグループ名情報はグループ１を表し、送信先アドレス情報は１２３．２３１．１３２．１２３を表す。図４の最上行から第３行において、グループ識別子Ｇｒｐ２に対応するグループ名情報はグループ２を表し、送信先アドレス情報は１２３．２３１．１３２．１２４を表す。
【００５５】
次に本実施形態に係るアドレス情報について説明する。
図５は、本実施形態に係るアドレス情報の一例を表す図である。
図５は、最左段から右側に向かって順に、機器識別子、送信元アドレス情報、送信先アドレス情報及び最終受信時刻情報を表す。
図５の最上行から第２行において、機器識別子ａａ：ｂｂ：ｃｃ：ｄｄ：ｅｅ：ｆｆに対応する送信元アドレス情報は１２３．２３１．１３２．２３４を表し、送信先アドレス情報が１２３．２３１．１３２．０１２を表し、最終受信時刻情報は２０ｙｙ年ｍｍ月ｄｄ日ａａ時ｂｂ分ｃｃ秒を表す。
図５の最上行から第３行において、機器識別子ａａ：ｂｂ：ｃｃ：ｄｄ：ｅｅ：ｆｇに対応する送信元アドレス情報は１２３．２３１．１３２．２３５を表し、送信先アドレス情報が１２３．２３１．１３２．０１３を表し、最終受信時刻情報は２０ｙｙ年ｍｍ月ｄｄ日ｅｅ時ｆｆ分ｇｇ秒を表す。
【００５６】
次に、本実施形態に係る基地局装置１２の構成について説明する。
図６は、本実施形態に係る基地局装置１２の構成を表す概略図である。
基地局装置１２は、制御部１２１、ＣＮ−ＩＦ（Ｉｎｔｅｒｆａｃｅ）部１２２、ＣＮ送受信部１２３、無線ＩＦ部１２４、無線送受信部１２５、及びデータ転送部１２６を含んで構成される。
【００５７】
制御部１２１は、ＲＮ１１からの受信信号として接続要求信号をＣＮ送受信部１２３から入力したとき、通信が可能であることを表す接続応答信号を生成する。制御部１２１は、自己（基地局装置１２）の識別情報、例えばセルＩＤを付加して接続応答信号を生成してもよい。制御部１２１は、生成した接続応答信号をＲＮ１１への送信信号としてＣＮ送受信部１２３に出力してもよい。
【００５８】
ＣＮ−ＩＦ部１２２は、ＣＮ５２と接続する入出力インタフェースである。ＣＮ−ＩＦ部１２２は、ＣＮ５２の機能に応じた構成を備える。ＣＮ５２が有線である場合には、ＣＮ−ＩＦ部１２２は、例えばコネクタを含んで構成される。ＣＮ５２が無線である場合には、ＣＮ−ＩＦ部１２２は、例えばアンテナを含んで構成される。
ＣＮ−ＩＦ部１２２は、ＣＮ送受信部１２３から入力された送信信号を、ＣＮ５２に接続された相手先装置、又はＣＮ５２を経由して相手先装置に送信する。ＣＮ−ＩＦ部１２２は、その相手先装置からＣＮ５２を経由して受信信号を受信し、受信した受信信号をＣＮ送受信部１２３に出力する。
【００５９】
ＣＮ送受信部１２３は、制御部１２１又はデータ転送部１２６から入力された送信信号をＣＮ５２で送信信号を送受信する所定の形式に変換し、変換した送信信号をＣＮ−ＩＦ部１２２に出力する。変換した送信信号は、例えば、ＣＮ５２が無線である場合には、基底周波数領域から無線周波数領域に変換した送信信号であり、ＣＮ５２が光回線である場合には、電気信号から光信号に変換した送信信号である。
ＣＮ送受信部１２３は、ＣＮ−ＩＦ部１２２から入力された受信信号を制御部１２１又はデータ転送部１２６が処理を行う所定の形式に変換し、変換した受信信号を制御部１２１又はデータ転送部１２６に出力する。変換した受信信号は、例えば、ＣＮ５２が無線である場合には、無線周波数領域から基底周波数領域に変換した受信信号であり、ＣＮ５２が光回線である場合には、光信号から電気信号に変換した受信信号である。
【００６０】
無線ＩＦ部１２４は、ＲＡＮ５１と接続する入出力インタフェースである。無線ＩＦ部１２４は、例えばアンテナを含んで構成される。
無線ＩＦ部１２４は、無線送受信部１２５から入力された送信信号を、ＲＡＮ５１に接続された装置、例えばＲＮ１１に送信する。無線ＩＦ部１２４は、その相手先装置から受信信号を受信し、受信した受信信号を無線送受信部１２５に出力する。
無線送受信部１２５は、制御部１２１又はデータ転送部１２６から入力された基底周波数帯域の送信信号を無線周波数帯域の送信信号に変換し、変換した送信信号を無線ＩＦ部１２４に出力する。無線送受信部１２５は、無線ＩＦ部１２４から入力された無線周波数帯域の受信信号を基底周波数帯域の受信信号に変換し、変換した受信信号を制御部１２１又はデータ転送部１２６に出力する。
【００６１】
データ転送部１２６は、無線送受信部１２５から入力された送信先装置への送信信号をＣＮ送受信部１２３に出力する。この送信先装置とは、ＣＮ５２に接続された装置、例えばＳ／Ｐ−ＧＷ１５、又はＣＮ５２を経由して接続された装置、例えばＭＴＣサーバ装置１６である。
データ転送部１２６は、ＣＮ送受信部１２３から入力された送信先装置への送信信号を無線送受信部１２５に出力する。この送信先装置とは、自己に接続された装置、例えばＲＮ１１、又はＲＮ１１を経由して接続された装置、例えばＭＴＣ端末装置１７である。
【００６２】
次に、本実施形態に係るＭＴＣ端末装置１７の構成について説明する。
図７は、本実施形態に係るＭＴＣ端末装置１７の構成を表す概略図である。
ＭＴＣ端末装置１７は、ＣＰＵ（Ｃｅｎｔｒａｌ  Ｐｒｏｃｅｓｓｉｎｇ  Ｕｎｉｔ；中央制御装置）１７１、記憶部１７２、無線送受信部１７３、通信制御部１７３１、無線ＩＦ部１７４、センサ部１７５、Ａ／Ｄ（Ａｎａｌｏｇ−ｔｏ−Ｄｉｇｉｔａｌ；アナログ・ディジタル）変換部１７６、タイマー部１７７、電源制御部１７８、及び電源１７９を含んで構成される。
【００６３】
ＣＰＵ１７１は、電源制御部１７８から起動指示信号が入力された場合、記憶部１７２に記憶されたプログラムを読み出して、読み出したプログラムを動作させてＭＴＣ端末装置１７全体の動作を制御する。
ＣＰＵ１７１は、Ａ／Ｄ変換部１７６から入力されたディジタルデータを通信制御部１７３１に出力する。このディジタルデータは、相手先装置（例えば、ＭＴＣサーバ装置１６）に送信する送信信号である。
ＣＰＵ１７１は、電源制御部１７８から停止指示信号が入力された場合、動作中のプログラムの動作を停止し、タイマー部１７７及び電源制御部１７８以外の動作を停止させる。
【００６４】
無線送受信部１７３は、無線ＩＦ部１７４から入力された無線周波数帯域の受信信号をダウンコンバートして基底周波数帯域の受信信号を生成し、生成した受信信号を通信制御部１７３１に出力する。
無線送受信部１７３は、通信制御部１７３１から入力された基底周波数帯域の送信信号をアップコンバートして無線周波数帯域の送信信号として、無線ＩＦ部１７４に出力する。
【００６５】
通信制御部１７３１は、ＭＴＣ端末装置１７が行う通信に関する処理、例えばＲＮ１１との接続やデータの送受信等、を制御する。通信制御部１７３１は、ＭＴＣ接続要求部１７３２、及びパケット処理部１７３３を含んで構成される。また、通信制御部１７３１は、例えば利用者による操作入力を受け付けて登録要求信号を生成する。通信制御部１７３１は、生成した登録要求信号をＲＮ１１、基地局装置１２を経由してＭＭＥ１３に送信する送信信号として、無線送受信部１７３に出力する。但し、通信制御部１７３１は、ＲＮ１１からの受信信号としてＭＴＣ通信モード指定信号が無線送受信部１７３から入力された場合には、登録要求信号を出力しない。
【００６６】
ＭＴＣ接続要求部１７３２は、自装置（ＭＴＣ端末装置１７）がＭＴＣを行う機器としてＲＮ１１に接続を要求するための処理を行う。ここで、ＭＴＣ接続要求部１７３２は、記憶部１７２から予め記憶された機器識別子及びＭＴＣグループ識別子もしくはＭＴＣサービス識別子を読み出す。ＭＴＣ接続要求部１７３２は、読み出した機器識別子及びＭＴＣグループ識別子もしくはＭＴＣサービス識別子を含め、ＲＮ１１との接続を要求することを示す接続要求信号を生成する。ＭＴＣ接続要求部１７３２は、生成した接続要求信号を、ＲＮ１１への送信信号として無線送受信部１７３に出力する。
ＭＴＣ接続要求部１７３２は、ＲＮ１１から受信した受信信号として無線送受信部１７３から接続応答信号が入力され、入力された接続応答信号から送信元アドレス情報を抽出して、抽出した送信元アドレス情報をパケット処理部１７３３に出力する。
【００６７】
なお、ＭＴＣ接続要求部１７３２は、送信した接続要求信号を出力してから予め定めた時間（例えば、９０秒）経過しても接続応答信号が入力されなかった場合には、接続要求に失敗したと判断して、接続要求に関する処理を終了する。
なお、後述する公衆通信モードでデータの送受信が行われているとき、ＭＴＣ接続要求部１７３２は、ＲＮ１１からの受信信号として無線送受信部１７３からＭＴＣ通信モードを表す通信モード信号が入力されたときにも接続要求信号の生成、出力を行う。
【００６８】
パケット処理部１７３３は、ＭＴＣ接続要求部１７３２から入力された送信元アドレス情報と、送信先アドレス情報としてＲＮ１１のアドレスが含まれるヘッダを生成する。パケット処理部１７３３は、生成したヘッダをＣＰＵ１７１から入力されたディジタルデータに付加してデータパケットを生成する。パケット処理部１７３３は、ＲＮ１１への送信信号として生成したデータパケットを無線送受信部１７３に出力する。
【００６９】
これにより、ＭＴＣ端末装置１７は、ＲＮ１１から予め定められた通信経路を経由してＭＴＣサーバ装置１６にデータを送信できるため、都度ＭＭＥ１３に登録要求を行う必要がなくなる。そのため、ＭＭＥ１３の負荷を軽減することができる。
このＲＮ１１を通じて予め定められたＲＮ１１とＳ／Ｐ−ＧＷ１５との通信経路を経由する通信モードがＭＴＣ通信モードである。
【００７０】
無線ＩＦ部１７４は、ＲＮ１１と無線で信号を送受信するインタフェースである。無線ＩＦ部１７４は、無線送受信部１７３から入力された送信信号を電波でＲＮ１１に送信する。無線ＩＦ部１７４は、ＲＮ１１から受信信号を受信して、受信した受信信号を無線送受信部１７３に出力する。無線ＩＦ部１７４は、例えば、送受信用アンテナを含んで構成される。
【００７１】
センサ部１７５は、ＭＴＣ端末装置１７の周囲環境を表すアナログデータを検知する。センサ部１７５は、例えば、画像を撮影するカメラ、温度を計測する温度センサである。センサ部１７５は、検知したアナログデータをＡ／Ｄ変換部１７６に出力する。
Ａ／Ｄ変換部１７６は、センサ部１７５から入力されたアナログデータをＡ／Ｄ変換してディジタルデータを生成する。Ａ／Ｄ変換部１７６は、生成したディジタルデータをＣＰＵ１７１に出力する。
【００７２】
タイマー部１７７は、現在の時刻を逐次に計測し、計測した時刻を示す時刻情報をＣＰＵ１７１及び電源制御部１７８に出力する。
電源制御部１７８は、電源１７９を起動させる起動時刻と各機能部を停止させる停止時刻に関する情報を表すスケジューリング情報が予め設定されている。但し、ここで停止とは、タイマー部１７７及び電源制御部１７８の動作が継続し、その他の機能部の機能が停止することを意味する。電源制御部１７８は、タイマー部１７７から入力された時刻情報が、そのスケジューリング情報が表す起動時刻に達した場合、起動することを表す起動指示信号を生成する。電源制御部１７８は、タイマー部１７７から入力された時刻情報が、そのスケジューリング情報が表す停止時刻に達した場合、停止することを表す停止指示信号を生成する。電源制御部１７８は、生成した起動指示信号又は停止指示信号をＣＰＵ１７１及び電源１７９に出力する。
【００７３】
停止状態においては、ＭＴＣ端末装置１７の電力消費量は、動作状態における電力消費量よりも格段に小さい（例えば、１／１０００未満）。従って、データを送受信する時間帯が予め設定されている場合、主にデータを送受信する時間帯だけＭＴＣ端末装置１７が起動し、データを送受信しない時間帯には起動しないようにスケジューリング情報を設定しておいてもよい。これにより、ＭＴＣ端末装置１７の電力消費量を節約することができる。
【００７４】
電源１７９は、電源制御部１７８から起動指示信号が入力された場合、ＭＴＣ端末装置１７の各部に電力を供給する。電源１７９は、電源制御部１７８から停止指示信号が入力された後、タイマー部１７７及び電源制御部１７８以外の各部への電源の供給を停止する。
【００７５】
次に、本実施形態に係る通信処理について説明する。
図８は、本実施形態に係る通信処理を表すシーケンス図である。
【００７６】
（ステップＳ１０１）ＲＮ１１の接続要求部１１３は、接続要求信号を予め生成し、生成した接続要求信号を基地局装置１２に送信する。
基地局装置１２の制御部１２１は、接続応答信号を生成し、生成した接続応答信号をＲＮ１１に送信する。
ＲＮ１１の接続要求部１１３は、基地局装置１２から接続応答信号を受信する。これにより、ＲＮ１１と基地局装置１２との間で接続が確立する。その後、ステップＳ１０２に進む。
【００７７】
（ステップＳ１０２）ＲＮ１１の登録処理部１１１１は、登録要求信号を生成し、生成した登録要求信号をＭＭＥ１３に送信する。ＭＭＥ１３は、ＲＮ１１から登録要求信号を受信する。その後、ステップＳ１０３に進む。
（ステップＳ１０３）ＭＭＥ１３は、ユーザ照会信号を生成し、生成したユーザ照会信号をＨＳＳ１４に送信する。ＨＳＳ１４は、ＭＭＥ１３からユーザ照会信号を受信する。その後、ステップＳ１０４に進む。
（ステップＳ１０４）ＨＳＳ１４は、ユーザ照会信号が示すＲＮ１１に係るユーザが正当なユーザであると判断した場合、その旨を示すユーザ情報を生成する。ＨＳＳ１４は、生成したユーザ情報をＭＭＥ１３に送信する。ＭＭＥ１３は、ＨＳＳ１４からユーザ情報を受信する。その後、ステップＳ１０５に進む。
【００７８】
（ステップＳ１０５）ＭＭＥ１３は、ベアラ設定要求信号を生成し、生成したベアラ設定要求信号をＳ／Ｐ−ＧＷ１５に送信する。Ｓ／Ｐ−ＧＷ１５は、ＭＭＥ１３からベアラ設定要求信号を受信する。その後、ステップＳ１０６に進む。
（ステップＳ１０６）Ｓ／Ｐ−ＧＷ１５は、ＭＭＥ１３からベアラ設定要求信号を受信する。Ｓ／Ｐ−ＧＷ１５は、ＲＮ１１とＳ／Ｐ−ＧＷ１５との間のベアラを表すベアラ情報を生成する。Ｓ／Ｐ−ＧＷ１５は、生成したベアラ情報をＭＭＥ１３に送信する（ベアラ設定応答）。ＭＭＥ１３は、Ｓ／Ｐ−ＧＷ１５からベアラ情報を受信する。その後、ステップＳ１０７に進む。
（ステップＳ１０７）ＭＭＥ１３は、受信したベアラ情報を含めた登録受付信号を生成する。ＭＭＥ１３は、生成した登録受付信号をＲＮ１１に送信する。ＲＮ１１の登録処理部１１１１は、ＭＭＥ１３から登録受付信号を受信する。その後、ステップＳ１０８に進む。
【００７９】
（ステップＳ１０８）ＲＮ１１のデータ設定部１１１３は、サービス設定情報要求信号を生成し、生成したサービス設定情報要求信号をＳ／Ｐ−ＧＷ１５を経由してＭＴＣサーバ装置１６に送信する。
ＭＴＣサーバ装置１６は、予め記憶されたサービス設定情報をＳ／Ｐ−ＧＷ１５を経由してＲＮ１１のデータ設定部１１１３に送信する。
データ設定部１１１３は、受信したサービス設定情報を設定する処理を行う。その後、ステップＳ１０９に進む。
【００８０】
（ステップＳ１０９）ＲＮ１１のデータ設定部１１１３は、設定パラメータ要求信号を生成し、生成した設定パラメータ要求信号をＯＡＭ１８に送信する（初期設定パラメータ要求）。
ＯＡＭ１８は、予め記憶された設定パラメータ情報をＲＮ１１に送信する。
ＲＮ１１の第１送受信部１１４は、ＯＡＭ１８から受信した設定パラメータ情報を用いてＭＴＣ端末装置１７との間で受信信号を受信、又は送信信号を送信する。その後、ステップＳ１１０に進む。
【００８１】
（ステップＳ１１０）ＭＴＣ端末装置１７のＭＴＣ接続要求部１７３２は、予め設定された機器識別子及びＭＴＣグループ識別子もしくはＭＴＣサービス識別子を含めて接続要求信号を生成する。ＭＴＣ接続要求部１７３２は、生成した接続要求信号をＲＮ１１へ送信できるようになる。その後、ステップＳ１１１に進む。
【００８２】
（ステップＳ１１１）ＲＮ１１の機器判定部１１１４は、受信した接続要求信号から機器識別子とＭＴＣグループ識別子もしくはＭＴＣサービス識別子を抽出する。
機器判定部１１１４は、抽出した機器識別子と抽出したＭＴＣサービス識別子又はＭＴＣグループ識別子に対応するＭＴＣサービス情報又はＭＴＣグループ情報をアドレス管理部１１１６に出力する。アドレス管理部１１１６は、アドレス記憶部１１１７に記憶されている送信元アドレス情報のいずれとも異なる送信元アドレス情報を生成し、生成した送信元アドレス情報を含めて接続応答信号を生成する。アドレス管理部１１１６は、生成した接続応答信号をＭＴＣ端末装置１７に送信する（アドレス割当）。
ＭＴＣ端末装置１７のＭＴＣ接続要求部１７３２は、ＲＮ１１から接続応答信号を受信して送信元アドレス情報を抽出する。その後、ステップＳ１１２に進む。
【００８３】
（ステップＳ１１２）ＭＴＣ端末装置１７のパケット処理部１７３３は、抽出した送信元アドレス情報をヘッダとしてデータパケットを生成し、生成したデータパケットをＲＮ１１に送信する。
ＲＮ１１のデータ転送部１１１８は、ＭＴＣ端末装置１７から受信したデータパケットの送信先アドレス情報を、アドレス記憶部１１１７から読み出した送信先アドレスに置き換える。データ転送部１１１８は、ベアラ情報が表す送信元アドレス情報と送信先アドレス情報を含むトンネリングヘッダを生成する。データ転送部１１１８は、送信先アドレスを置き換えたデータパケットに生成したトンネリングヘッダを付加して新たなデータパケットを生成する。データ転送部１１１８は、生成したデータパケットをＳ／Ｐ−ＧＷ１５を経由してＭＴＣサーバ装置１６に送信する。その後、処理を終了する。
【００８４】
なお、上述の通信処理において、ステップＳ１０９は、ステップＳ１０２−Ｓ１０７の処理（ＲＮ１１の登録）や、ステップＳ１０８の処理（サービス設定情報要求）と並列して実行してもよい。
これにより、ＲＮ１１とＳ／Ｐ−ＧＷ１５との間でデータ信号のトンネリングが行われ、ＭＴＣ端末装置１７からＭＴＣサーバ装置１６にデータが送信される。
【００８５】
このように、本実施形態は、ＲＮ１１、ＲＮ１１と無線で接続する基地局装置１２、Ｓ／Ｐ−ＧＷ１５、及びＭＭＥ１３を備える通信システム１に関する。ＲＮ１１は、ＭＭＥ１３に対して通信システム１のネットワークに接続する装置として自装置の登録を要求することを示す第1の登録要求信号を送信し、Ｓ／Ｐ−ＧＷ１５との間の通信経路を示すベアラ情報を受信する。ＲＮ１１は、ＭＴＣ端末装置１７から自装置との接続を要求することを示す接続要求信号を受信し、接続要求信号に基づいてＭＴＣ端末装置１７に係るデータを転送するか否かを判断する。ＲＮ１１は、送信先装置との間で、ベアラ情報が示す通信経路を用いてデータを転送する。また、ＭＴＣ端末装置１７は、予め定めたＭＴＣサービス又はＭＴＣグループに係る自装置とＲＮ１１との接続を要求することを示す接続要求信号をＲＮ１１に送信し、ＲＮ１１が生成したアドレスを受信する。ＭＴＣ端末装置１７は、ＭＴＣサービス又はＭＴＣグループに係る相手先装置であるＭＴＣサーバ装置１６との間で、受信したアドレスを用い、ＲＮ１１とＳ／Ｐ−ＧＷ１５との通信経路を経由してデータを送信又は受信する。
【００８６】
これにより、あるＭＴＣグループ又はＭＴＣサービスについて、ＲＮ１１とＳ／Ｐ−ＧＷ１５との間で予め通信経路が確保される。また、ＭＴＣ端末装置１７は割り当てられたアドレスを用い、確保した通信経路を経由してＭＴＣサーバ装置１６との間でデータを送受信する。従って、多数のＭＴＣ端末装置１７がデータの送信に先立ち一斉にＭＭＥ１３に対する登録要求信号を送信することが回避される。また、ＭＴＣ端末装置１７は、通信相手先と個々に接続を確立する必要がなくなる。そのため、ＭＭＥ１３における処理の負荷が軽減される。
【００８７】
（第２の実施形態）
次に、本発明の第２の実施形態について説明する。以下では、上述の実施形態と同一の構成、処理については同一の符号を付し、主に差異点について説明する。
本実施形態に係る通信システム２（図示せず）は、通信システム１（図１）と同様な構成を備える。但し、通信システム２は、ＲＮ１１（図１）の代わりにＲＮ２１を備え、ＭＴＣ端末装置１７（図１）の代わりにＭＴＣ端末装置２７を備える。
【００８８】
ここで、本実施形態に係るＲＮ２１の構成について説明する。
図９は、本実施形態に係るＲＮ２１の構成を表す概略図である。
ＲＮ２１は、ＲＮ１１（図２）と同様な構成を備える。但し、ＲＮ２１は、ＭＴＣ処理部１１１（図２）の代わりにＭＴＣ処理部２１１を備える。ＭＴＣ処理部２１１は、登録処理部１１１１（図２）の代わりに、それぞれ登録処理部２１１１を備える。
【００８９】
登録処理部２１１１は、ＭＴＣ端末装置２７からの受信信号として登録要求信号（第２の登録要求信号）が第１送受信部１１４から入力されたとき、入力された登録要求信号をＭＭＥ１３へ送信する送信信号として第２送受信部１１６に出力する。この第２送受信部１１６に出力する登録要求信号は、ＭＴＣ端末装置２７の登録をＭＭＥ１３に要求することを示す登録要求信号である。なお、登録処理部２１１１は、複数のＭＴＣ端末装置から登録要求信号が入力された場合、これらの登録要求信号を一括し、一度にＭＭＥ１３へ送信するようにしてもよい。これにより、各ＭＴＣ端末装置毎に登録にかかるシグナリングを行う必要がなくなるため、ＭＭＥ１３における処理の負荷が軽減される。
登録処理部２１１１は、ＭＭＥ１３からの受信信号として登録受付信号が第２送受信部１１６から入力される。登録処理部２１１１は、登録受付信号をＭＴＣ端末装置２７への送信信号として第１送受信部１１４に出力する。この第２送受信部１１６から入力された登録受付信号は、送信元アドレス情報としてＭＴＣ端末装置２７のグローバルアドレスと、送信先アドレス情報としてＳ／Ｐ−ＧＷ１５のグローバルアドレスを含むベアラ情報を示す。
【００９０】
ここで、本実施形態に係るＭＴＣ端末装置２７の構成について説明する。
図１０は、本実施形態に係るＭＴＣ端末装置２７の構成を表す概略図である。
ＭＴＣ端末装置２７は、ＭＴＣ端末装置１７と同様な構成を備える。但し、ＭＴＣ端末装置２７は、通信制御部１７３１（図７）の代わりに通信制御部２７３１を備える。通信制御部２７３１は、パケット処理部１７３３（図７）の代わりにパケット処理部２７３３を備え、更にＭＭＥ登録要求部２７３４を備える。
【００９１】
パケット処理部２７３３は、パケット処理部１７３３（図７）と同様な構成を備える他に、次に述べる構成を備える。パケット処理部２７３３は、送信先装置（例えば、ＭＴＣサーバ装置１６）の送信先アドレスを取得する。ここで、パケット処理部２７３３は、例えば、利用者からの操作入力を受けつけて、予め記憶された送信先アドレスを選択してもよい。その他、パケット処理部２７３３は、自己のＭＴＣグループ又はサービスに係る送信先アドレスを照会することを示すアドレス照会信号を生成してもよい。ここで、パケット処理部２７３３は、記憶部１７２からＭＴＣサービス識別子又はＭＴＣグループ識別子を読み出し、読み出したＭＴＣサービス識別子又はＭＴＣグループ識別子をアドレス照会信号に含める。そして、パケット処理部２７３３は、ＲＮ１１への送信信号としてアドレス照会信号を無線送受信部１７３に出力する。パケット処理部２７３３は、ＲＮ１１から受信したアドレス応答信号が無線送受信部１７３から入力され、入力されたアドレス応答信号から送信先アドレス情報を抽出する。
【００９２】
パケット処理部２７３３は、入力された送信元アドレス情報である自己のグローバルアドレスと、取得した送信先アドレス情報を含むヘッダを、ＣＰＵ１７１から入力されたディジタルデータに付加してデータパケットを生成する。
パケット処理部２７３３は、生成したデータパケットをＳ／Ｐ−ＧＷ１５を経由してＭＴＣサーバ装置１６へ送信する送信信号として無線送受信部１７３に出力する。
【００９３】
ＭＭＥ登録要求部２７３４は、基地局装置１２に接続する装置として自装置（ＭＴＣ端末装置２７）を登録することをＭＭＥ１３に要求する処理を実行する。ＭＭＥ登録要求部２７３４は、自装置（ＭＴＣ端末装置２７）の登録をＭＭＥ１３に要求することを示す登録要求信号（第２の登録要求信号）を生成する。ＭＭＥ登録要求部２７３４は、生成した登録要求信号を、ＲＮ１１及び基地局装置１２を経由してＭＭＥ１３に送信する送信信号として無線送受信部１７３に出力する。
ＭＭＥ登録要求部２７３４が、登録要求信号を出力する契機は、例えば、ＭＴＣサーバ装置１６以外の相手先装置を指定してデータの送信を開始する場合、利用者からの操作入力を受け付けた時点（ＭＴＣサーバ装置１６を指定してデータを送信する場合も含む）である。
【００９４】
ＭＭＥ登録要求部２７３４は、ＭＭＥ１３から基地局装置１２及びＲＮ１１を経由して受信した受信信号として、登録受付情報が無線送受信部１７３から入力される。
ＭＭＥ登録要求部２７３４は、入力された登録受付情報からベアラ情報を抽出する。ＭＭＥ登録要求部２７３４は、抽出したベアラ情報から送信元アドレス情報として自己に割り当てられたグローバルアドレスと、送信先アドレス情報としてＳ／Ｐ−ＧＷ１５のグローバルアドレスとを抽出する。ＭＭＥ登録要求部２７３４は、ベアラ情報から抽出した送信元アドレス情報ならびに送信先アドレス情報を、パケット処理部２７３３に出力する。
【００９５】
なお、ＭＭＥ登録要求部２７３４は、送信した登録要求信号を出力してから予め定めた時間（例えば、９０秒）経過してもベアラ情報が入力されなかった場合には、登録要求に失敗したと判断して、登録要求に関する処理を終了する。
【００９６】
図１１は、本実施形態に係る通信処理を表すシーケンス図である。
以下に説明する通信処理は、通信システム２において図８に示す通信処理を行った後に開始する。この開始時点では、ＲＮ２１を示す識別情報がＭＭＥ１３に記憶され、ＭＴＣ端末装置２７がＲＮ２１とＳ／Ｐ−ＧＷ１５との間の通信経路を経由してデータの送受信を行える状態にある。この状態をＲＮアタッチ状態と呼ぶ。
【００９７】
（ステップＳ２０１）ＭＴＣ端末装置２７のＭＭＥ登録要求部２７３４は、自装置（ＭＴＣ端末装置２７）の登録をＭＭＥ１３に要求することを示す登録要求信号（第２の登録要求信号）を生成する。ＭＭＥ登録要求部２７３４は、生成した登録要求信号を、ＭＭＥ１３に送信する（ＣＮ登録要求）。その後、ステップＳ２０２に進む。
（ステップＳ２０２）ＲＮ２１の登録処理部２１１１は、ＭＴＣ端末装置２７から入力された登録要求信号をＭＭＥ１３に送信する。ＭＭＥ１３は、ＲＮ１１から登録要求信号を受信する。その後、ステップＳ２０３に進む。
【００９８】
（ステップＳ２０３）ＭＭＥ１３は、ＭＴＣ端末装置２７に係るユーザが正当なユーザかを照会することを示すユーザ照会信号を生成し、生成したユーザ照会信号をＨＳＳ１４に送信する。ＨＳＳ１４は、ＭＭＥ１３からユーザ照会信号を受信する。その後、ステップＳ２０４に進む。
（ステップＳ２０４）ＨＳＳ１４は、ＭＴＣ端末装置２７に係るユーザが正当なユーザであると判断した場合、その旨を示すユーザ情報を生成する。ＨＳＳ１４は、生成したユーザ情報をＭＭＥ１３に送信する。ＭＭＥ１３は、ＨＳＳ１４からユーザ情報を受信する。その後、ステップＳ２０５に進む。
（ステップＳ２０５）ＭＭＥ１３は、ＭＴＣ端末装置２７とＳ／Ｐ−ＧＷ１５との間のベアラの設定を要求することを示すベアラ設定要求信号を生成し、生成したベアラ設定要求信号をＳ／Ｐ−ＧＷ１５に送信する。Ｓ／Ｐ−ＧＷ１５は、ＭＭＥ１３からベアラ設定要求信号を受信する。その後、ステップＳ２０６に進む。
（ステップＳ２０６）Ｓ／Ｐ−ＧＷ１５は、ＭＴＣ端末装置２７とＳ／Ｐ−ＧＷ１５との間のベアラを示すベアラ情報を生成する。Ｓ／Ｐ−ＧＷ１５は、生成したベアラ情報をＭＭＥ１３に送信する（ベアラ設定応答）。ＭＭＥ１３は、Ｓ／Ｐ−ＧＷ１５からベアラ情報を受信する。その後、ステップＳ２０７に進む。
【００９９】
（ステップＳ２０７）ＭＭＥ１３は、受信したベアラ情報を含めた登録受付信号を生成し、生成した登録受付信号をＲＮ２１に送信する。その後、ステップＳ２０８に進む。
（ステップＳ２０８）ＲＮ２１の登録処理部２１１１は、ＭＭＥ１３から受信した登録受付信号をＭＴＣ端末装置２７に送信する（ＣＮ登録受付）。ＭＴＣ端末装置２７のＭＭＥ登録要求部２７３４は、ＲＮ２１から受信した登録受付情報が示すベアラ情報から送信元アドレス情報と送信先アドレス情報を抽出してパケット処理部２７３３に出力する。抽出した送信元アドレス情報は、ＭＴＣ端末装置２７のグローバルアドレス情報を示し、送信先アドレス情報はＳ／Ｐ−ＧＷ１５のグローバルアドレスを示す。その後、ステップＳ２０９に進む。
【０１００】
（ステップＳ２０９）ＭＴＣ端末装置２７のパケット処理部２７３３は、抽出した送信元アドレス情報と、別途取得した送信先装置（例えば、ＭＴＣサーバ装置１６）のアドレス情報を含むヘッダを生成し、生成したヘッダを送信データに付加してデータパケットを生成する。パケット処理部２７３３は、生成したデータパケットをＳ／Ｐ−ＧＷ１５を経由してＭＴＣサーバ装置１６に送信する。その後、処理を終了する。
【０１０１】
このように、本実施形態では、ＭＴＣ端末装置２７は、送信元アドレス情報として自己のグローバルアドレスを用いて公衆無線通信網を介して通信先装置とデータを直接、つまりＭＴＣ処理部２１１を介さずに送受信することができる。以下では、このような通信モードを公衆通信モードと呼ぶ。公衆通信モードは、通常の携帯電話や携帯端末装置が公衆無線網を用いて通信する場合と同様の通信形態である。従って、公衆通信モードでは、ＭＴＣ端末装置２７は、基地局装置１２との間で、ＲＮ１１を物理的に経由せずに直接、データを送信又は受信してもよい。つまり、ＭＴＣ端末装置２７は、ＲＮ２１とＳ／Ｐ−ＧＷ１５との間の通信経路を経由せずに基地局装置１２に直接アクセスできる。そのため、ＲＮ２１に備えられたＭＴＣ処理部２１１の処理能力やＭＴＣ処理部２１１を送信元又は送信先とする通信経路の容量に拘束されなくなる。
【０１０２】
また、ＭＴＣ端末装置２７は、送信先装置としてＭＴＣサーバ装置１６以外のネットワークに接続された送信先装置のアドレス情報を用いて、その送信先装置にデータを送信してもよい。例えば、ＭＴＣ端末装置２７のパケット処理部２７３３は、サーバ装置１９の送信先アドレス情報をヘッダに含むデータパケットを、Ｓ／Ｐ−ＧＷ１５を経由してサーバ装置１９に送信することができる（図１１ ステップＳ２０９ｂ参照）。
【０１０３】
従って、ＭＭＥ１３には、ＭＴＣ端末装置２７を識別する識別情報が基地局装置１２を識別する基地局識別情報と対応付けられて記憶される。また、送信元アドレス情報として自己のグローバルアドレスを用いて論理的にＲＮ１１が備えるＭＴＣ処理部２１１を経由しないでデータを送受信することができる。公衆通信モードは、通常の携帯電話や携帯端末装置が直接公衆無線網を用いて通信する場合と同様の通信形態である。また、このような状態をＣＮ登録状態と呼ぶ。これに対して、以下の説明では、第１の実施形態で説明したようにＭＴＣ端末装置１７が、送信元アドレス情報としてＲＮ１１から割り振られたアドレスを用いてＲＮ１１を経由して通信先装置とデータを送受信する通信モードをＭＴＣ通信モードと呼ぶ。
【０１０４】
以上、説明したように本実施形態では、ＭＴＣ端末装置２７は、自装置を基地局装置１２に接続する装置としてＭＭＥ１３に登録することを示す登録要求信号をＲＮ２１に送信する。ＲＮ２１は、その登録要求信号をＭＭＥ１３に対して送信し、ＭＴＣ端末装置２７とＳ／Ｐ−ＧＷ１５との間の通信経路を示すベアラ情報を受信し、受信したベアラ情報をＭＴＣ端末装置２７に送信する。ＭＴＣ端末装置２７は、受信したベアラ情報を用いてデータの送受信を行う。
【０１０５】
これにより、ＭＴＣ端末装置２７の動作状態は、上述のＲＮアタッチ状態を経てからＣＮ登録状態に遷移する。そのため、各ＭＴＣ端末装置２７が一斉にＭＭＥ１３とシグナリングを行うことが回避される。また、ＭＴＣ端末装置２７は、ＣＮ登録状態に遷移することで予め定められたＭＴＣサービス又はＭＴＣグループに係るＭＴＣサーバ装置１６以外の送信先装置とのデータの送受信も可能になる。従って、送信先装置の柔軟な変更と、ＭＭＥ１３の処理負荷の軽減とを両立することができる。
【０１０６】
（第３の実施形態）
次に、本発明の第３の実施形態について説明する。以下では、上述の実施形態と同一の構成、処理については同一の符号を付し、主に差異点について説明する。
本実施形態に係る通信システム３（図示せず）は、通信システム２（図示せず）と同様な構成を備える。但し、通信システム３は、ＲＮ２１（図９）の代わりにＲＮ３１を備え、ＭＴＣ端末装置２７（図１０）の代わりにＭＴＣ端末装置３７を備える。
【０１０７】
次に、本実施形態に係るＲＮ３１の構成について説明する。
図１２は、本実施形態に係るＲＮ３１の構成を表す概略図である。
ＲＮ３１は、ＲＮ２１と同様な構成を備え、更にモード制御部３１８を備える。
モード制御部３１８は、ＭＴＣ通信モードで通信を行っているＭＴＣ端末装置の数（接続数）が予め定めた第１の台数（最大接続数）を超えた場合、通信モードを公衆通信モードに変更する。また、モード制御部３１８は、公衆通信モードで通信を行っているＭＴＣ端末装置に対して、接続数が予め定めた第２の台数（限界接続数）を下回る場合、通信モードをＭＴＣ通信モードに変更する。ここで、第２の台数は、第１の台数よりも少ない台数である。モード制御部３１８は、通信モードを変更する対象のＭＴＣ端末装置を、例えば、ランダムに選択してもよいし、現在まで最も長時間通信モードを維持しているＭＴＣ端末装置を選択してもよい。
【０１０８】
ここで、モード制御部３１８は、予め定めた時間間隔で接続されているＭＴＣ端末装置の数を照会することを示す接続数照会信号を生成し、生成した接続数照会信号をアドレス管理部１１１６に出力する。
これにより、アドレス管理部１１１６は、モード制御部３１８から接続数照会信号が入力されたとき、アドレス記憶部１１１７に記憶されているアドレス情報に基づいて接続されているＭＴＣ端末装置の数を計数する。アドレス管理部１１１６は、計数したＭＴＣ端末装置３７の数を表す接続数信号を生成し、生成した接続数信号をモード制御部３１８に出力する。
【０１０９】
モード制御部３１８は、アドレス管理部１１１６から入力された接続数信号が表すＭＴＣ端末装置の数が予め定めた第１の台数を超えるか否か判断する。第１の台数を超えると判断した場合、モード制御部３１８は、公衆通信モードを表す通信モード信号を生成する。モード制御部３１８は、アドレス管理部１１１６から入力された接続数信号が表すＭＴＣ端末装置の数が予め定めた第２の台数を下回る場合、ＭＴＣ通信モードを表す通信モード信号を生成する。
モード制御部３１８は、生成した通信モード信号を、通信モードの変更対象であるＭＴＣ端末装置３７への送信信号として第１送受信部１１４に出力する。
【０１１０】
なお、モード制御部３１８は、ＭＴＣ通信モードで通信を行っているＭＴＣ端末装置との間で送信又は受信する通信量が予め定めた第１の通信量（最大通信量）を超えた場合、通信モードを公衆通信モードに変更してもよい。モード制御部３１８は、通信モードを変更する対象のＭＴＣ端末装置を、例えば、ランダムに選択してもよいし、ＭＴＣ通信モードで通信を行っているＭＴＣ端末装置の中で最も通信量が多いＭＴＣ端末装置を選択してもよい。
また、モード制御部３１８は、公衆通信モードで通信を行っているＭＴＣ端末装置に対して、通信量が予め定めた第２の通信量（限界通信量）を下回る場合、通信モードをＭＴＣ通信モードに変更してもよい。第２の通信量は、第１の通信量よりも少ない通信量である。モード制御部３１８は、通信モードを変更する対象のＭＴＣ端末装置を、例えば、ランダムに選択してもよいし、公衆通信モードで通信を行っているＭＴＣ端末装置の中で最も通信量が多いＭＴＣ端末装置を選択してもよい。
【０１１１】
ここで、モード制御部３１８は、予め定めた時間間隔で接続されているＭＴＣ端末装置の通信量を照会することを示す通信量照会信号を生成し、生成した通信量照会信号をデータ転送部１１１８に出力する。
これにより、データ転送部１１１８は、モード制御部３１８から通信量照会信号が入力されたとき、接続されたＭＴＣ端末装置から受信したデータの単位時間（例えば、１秒）当たりの通信量（情報量）を計測する。データ転送部１１１８は、計測した通信量を表す通信量信号を生成し、生成した通信量信号をモード制御部３１８に出力する。
【０１１２】
モード制御部３１８は、データ転送部１１１８から入力された通信量信号が表す通信量が予め定めた第１の通信量を超えた場合、公衆通信モードを表す通信モード信号を生成する。モード制御部３１８は、データ転送部１１１８から入力された通信量信号が表す通信量が予め定めた第２の通信量を下回る場合、ＭＴＣ通信モードを表す通信モード信号を生成する。
モード制御部３１８は、生成した通信モード信号を、通信モードを変更する対象であるＭＴＣ端末装置３７への送信信号として第１送受信部１１４に出力する。
なお、通信モード信号の送信において、第１送受信部１１４は、ＭＴＣ端末装置３７のアドレスを用いて送信先装置を個別に特定してもよいし、報知チャネルを通じて在圏しているＭＴＣ端末装置に一斉に同報してもよい。
【０１１３】
次に、本実施形態に係るＭＴＣ端末装置３７の構成について説明する。
図１３は、本実施形態に係るＭＴＣ端末装置３７の構成を表す概略図である。
ＭＴＣ端末装置３７は、ＭＴＣ端末装置２７と同様な構成を備える。但し、ＭＴＣ端末装置３７は、通信制御部２７３１（図１０）の代わりに通信制御部３７３１を備える。通信制御部３７３１は、ＭＭＥ登録要求部２７３４（図１０）の代わりにＭＭＥ登録要求部３７３４を備える。
【０１１４】
ＭＭＥ登録要求部３７３４は、ＭＭＥ登録要求部２７３４と同様な構成を備える。但し、ＭＴＣ通信モードで通信が行われているとき、ＭＭＥ登録要求部３７３４がＲＮ１１からの受信信号として公衆通信モード（ＭＴＣ解除モード）を表す通信モード信号を無線送受信部１７３から入力される。その後、ＭＭＥ登録要求部３７３４は、自装置（ＭＴＣ端末装置３７）の登録をＭＭＥ１３に要求することを示す登録要求信号（第２の登録要求信号）を生成する。ＭＭＥ登録要求部３７３４は、生成した登録要求信号を、ＲＮ１１及び基地局装置１２を経由してＭＭＥ１３に送信する送信信号として無線送受信部１７３に出力する。
【０１１５】
ＭＭＥ登録要求部３７３４は、ＲＮ１１からの受信信号としてＭＴＣ通信モードを表す通信モード信号が無線送受信部１７３から入力されたとき、ＭＭＥ１３に送信する登録要求信号を出力しない。なお、既に公衆通信モードで通信が行われている場合には、ＭＴＣ接続要求部１７３２は、第１の実施形態で述べたように、接続要求信号を生成する。ＭＴＣ接続要求部１７３２は、生成した接続要求信号を、ＲＮ１１に送信する送信信号として無線送受信部１７３に出力する。
そのため、通信モードがＭＴＣ通信モードに変更され、ＭＴＣ端末装置１７は、ＲＮ１１とＳ／Ｐ−ＧＷ１５との間の通信経路を通じてデータを送信又は受信することができる。これにより、公衆無線通信網における無線リソースを有効に利用し、無線リソースの浪費を回避することができる。
【０１１６】
なお、ＭＭＥ登録要求部３７３４はＭＴＣ通信モードを表す通信モード信号が無線送受信部１７３から入力されたとき、登録解除信号を生成し、生成した登録解除信号を、ＭＭＥ１３に送信する送信信号として無線送受信部１７３に出力してもよい。登録解除信号は、ＭＭＥ１３に対して登録を解除（デタッチ、ｄｅｔａｃｈ）することを示す信号である。ＭＭＥ１３は、登録解除信号を受信した後、ＭＴＣ端末装置３７の識別情報を消去する。また、ＭＭＥ１３は、ＭＴＣ端末装置３７とＳ／Ｐ−ＧＷ１５との間のベアラ情報を無効にすることを表すベアラ無効化要求信号を生成する。ＭＭＥ１３は、生成したベアラ無効化要求信号をＳ／Ｐ−ＧＷ１５に送信する。Ｓ／Ｐ−ＧＷ１５は、ベアラ無効化要求信号を受信してＭＴＣ端末装置３７とＳ／Ｐ−ＧＷ１５との間のベアラ情報を無効にする。これにより、使用されなくなったベアラが解除される。
【０１１７】
次に本実施形態に係る通信処理について説明する。
図１４は、本実施形態に係る通信処理を表すシーケンス図である。
以下に説明する通信処理は、通信システム３において図８に示す通信処理を行った後、即ちＲＮアタッチ状態にあるときに開始する。
【０１１８】
（ステップＳ３０１）ＲＮ３１のモード制御部３１８は、ＭＴＣ通信モードで通信を行っているＭＴＣ端末装置の数をアドレス管理部１１１６に照会する。モード制御部３１８は、照会したＭＴＣ端末装置の数が予め定めた最大接続数を越えた場合、通信モードを公衆通信モードに変更（ＭＴＣ通信モード解除）すると判断する。その後、ステップＳ３０２に進む。
（ステップＳ３０２）ＲＮ３１のモード制御部３１８は、公衆通信モードを表す通信モード信号を生成し、生成した通信モード信号をＭＴＣ端末装置３７に送信する（ＭＴＣ通信モード解除）。ＭＴＣ端末装置３７のＭＭＥ登録要求部３７３４がＲＮ３１から通信モード信号を受信した後、ステップＳ２０１−Ｓ２０８及びＳ２０９ｂを実行する。その後、ステップＳ３１１に進む。
【０１１９】
（ステップＳ３１１）ＲＮ３１のモード制御部３１８は、ＭＴＣ通信モードで通信を行っているＭＴＣ端末装置の数をアドレス管理部１１１６に照会する。モード制御部３１８は、照会したＭＴＣ端末装置の数が予め定めた限界接続数を下回る場合、通信モードをＭＴＣ通信モードに変更すると判断する（ＭＴＣ通信モード移行判断）。その後、ステップＳ３１２に進む。
（ステップＳ３１２）ＲＮ３１のモード制御部３１８は、ＭＴＣ通信モードを表す通信モード信号を生成し、生成した通信モード信号をＭＴＣ端末装置３７に送信する（ＭＴＣ通信モード移行）。ＭＴＣ端末装置３７のＭＭＥ登録要求部３７３４は、ＲＮ３１から通信モード信号を受信した後、ＭＭＥ１３への登録要求信号の送信を停止する。その後、ステップＳ１１０−Ｓ１１２を実行する。
【０１２０】
なお、図１４は、ＭＴＣ通信モードで通信を行っているＭＴＣ端末装置の数に基づいて通信モードの変更の要否を判断する場合を一例として示すが、ＭＴＣ端末装置との通信量に基づいて通信モードの変更の要否を判断するようにしてもよい。
また、ベアラ情報を無効化せずに、ステップＳ３０１以下の処理が繰り返される場合には、ステップＳ２０３−２０６を省略することでベアラ情報の再設定を行わなくともよい。
【０１２１】
以上に説明したように、本実施形態では、通信システム３において、ＲＮ３１は接続されているＭＴＣ端末装置３７の個数、又はその通信容量に基づいて、ＲＮ３１とＳ／Ｐ−ＧＷ１５との間の通信経路を用いてデータを転送するか否か判定する。
これにより、ＭＴＣ端末装置３７からのデータを転送する際の処理負荷や、ＲＮ３１とＳ／Ｐ−ＧＷ１５との間の通信経路を経由する通信量に応じて、他の通信経路を用いるか否かを判定する手がかりが与えられる。これにより、ＲＮ３１の過負荷を回避し、回線リソースを有効に利用することができる。
【０１２２】
（第４の実施形態）
次に、本発明の第４の実施形態について説明する。以下では、上述の実施形態と同一の構成、処理については同一の符号を付し、主に差異点について説明する。  
図１５は、本実施形態に係る通信システム４を表す概略図である。
本実施形態に係る通信システム４は、ＲＮ４１、複数（例えば２個）の基地局装置４２−１、４２−２、ＭＭＥ１３、ＨＳＳ１４、Ｓ／Ｐ−ＧＷ１５、ＭＴＣサーバ装置１６、ＭＴＣ端末装置３７、ＯＡＭ１８、ＲＡＮ５１、ＣＮ５２及びＷＡＮ５３を含んで構成される。即ち、通信システム４は、通信システム３（図示せず）においてＲＮ３１及び基地局装置１２の代わりに各々ＲＮ４１及び基地局装置４２−１を備え、更に基地局装置４２−２を備える。
以下の説明では、基地局装置４２−１、４２−２を基地局装置４２又は基地局装置４２−１等と総称することがある。
【０１２３】
本実施形態では、ＲＡＮ５１がＭＴＣ端末装置３７、ＲＮ４１及び基地局装置４２−１、４２−２を接続している。
ＭＭＥ１３は、各基地局装置４２−１、４２−２、それぞれを識別する基地局識別情報が予め記憶されている。ＭＭＥ１３は、各基地局装置を通じて登録した移動局装置を表す移動局識別情報が基地局識別情報と対応付けて記憶する。
Ｓ／Ｐ−ＧＷ１５は、各基地局装置４２−１、４２−２との間でデータパケットを送信又は受信する。
【０１２４】
次に、本実施形態に係るＲＮ４１の構成について説明する。
図１６は、本実施形態に係るＲＮ４１の構成を表す概略図である。
ＲＮ４１は、ＲＮ３１（図１２）のＭＴＣ処理部２１１及びモード制御部３１８の代わりにＭＴＣ処理部４１１及びモード制御部４１８を備え、更に通信計測部４１９を備える。
ＭＴＣ処理部４１１は、ＭＴＣ処理部２１１（図１２）の登録処理部２１１１及びデータ設定部１１１３の代わりに登録処理部４１１１及びデータ設定部４１１３を備える。なお、以下、通信に用いられている基地局装置（遷移元）４２−１において、用いられる基地局装置が基地局装置４２−２（遷移先）に切り替わることを仮定して説明することがある。このように使用されている基地局装置を切り替えることをハンドオーバ（Ｈａｎｄｏｖｅｒ；ＨＯ）という。なお、遷移元の基地局装置、遷移先の基地局装置は、それぞれ基地局装置４２−１、４２−２に限られず、複数の基地局装置のそれぞれ何れか１個であればよい。
【０１２５】
登録処理部４１１１は、登録処理部２１１１（図１２）と同様な構成を備える他、次に述べる構成を備える。
登録処理部４１１１は、ハンドオーバによる遷移先の基地局装置４２−２から受信した受信信号として登録受付信号が第２送受信部１１６から入力される。登録処理部４１１１は、入力された登録受付信号からベアラ情報を抽出し、抽出したベアラ情報をデータ転送部１１１８に出力する。これにより、ＲＮ４１と相手先装置との間で、基地局装置４２−２とＳ／Ｐ−ＧＷ１５とを経由して、データの送信又は受信が可能になる。
なお、第１送受信部１１４が、データ設定部４１１３から設定パラメータ情報が入力された後に、登録処理部４１１１は登録要求信号を生成してもよい。その場合、登録処理部４１１１は、生成した登録要求信号を、基地局装置４２を経由してＭＭＥ１３に送信する送信信号として第２送受信部１１６に出力してもよい。これにより、登録処理部４１１１には、登録受付信号が、ＭＭＥ１３から受信した受信信号として第２送受信部１１６から入力される。
【０１２６】
登録処理部４１１１はハンドオーバが完了したことを表すハンドオーバ完了信号を生成し、生成したハンドオーバ完了信号を遷移先の基地局装置４２−２への送信信号として第２送受信部１１６に出力する。これにより、基地局装置４２−２のハンドオーバ受付部４２１３（後述）は、ＲＮ４１からハンドオーバ完了信号を受信する。
登録処理部４１１１は、モード制御部４１８から入力されたモード変更端末識別情報に基づいて登録更新要求信号（Ｔｒａｃｋｉｎｇ  Ａｒｅａ  Ｕｐｄａｔｅ）を生成する。ここで、モード変更端末識別情報は、通信モードがハンドオーバに際して通信モードが公衆通信モードからＭＴＣ通信モードに変更されたＭＴＣ端末装置を表す情報を指す。登録更新要求信号は、モード変更端末識別情報が示すモード変更端末装置の登録の更新をＭＭＥ１３に要求することを示す信号を指す。登録処理部４１１１は、生成した登録更新要求信号を、ＭＭＥ１３へ送信する送信信号として第２送受信部１１６に出力する。
【０１２７】
登録処理部４１１１は、ＭＭＥ１３からの受信信号として登録更新受付信号が第２送受信部１１６から入力される。この登録更新受付信号は、送信元アドレス情報としてモード変更端末装置のグローバルアドレスと、送信先アドレス情報としてＳ／Ｐ−ＧＷ１５のグローバルアドレスを含むベアラ情報を示す。登録処理部４１１１は、入力された登録更新受付信号（登録更新完了）をモード変更端末装置への送信信号として第１送受信部１１４に出力する。
これによりＭＴＣ端末装置３７がモード変更端末装置である場合、ＭＭＥ登録要求部３７３４は、ＲＮ１１を経由して受信した登録更新受付情報からベアラ情報を抽出する。ＭＭＥ登録要求部３７３４は、更にベアラ情報から抽出した送信元アドレス情報ならびに送信先アドレス情報を、パケット処理部２７３３に出力する。従って、ＭＴＣ端末装置３７の通信モードが公衆通信モードに変更され、ＭＴＣ通信モードが解除される。
登録処理部４１１１は、入力された登録更新受付信号をモード制御部４１８に出力する。
【０１２８】
データ設定部４１１３は、データ設定部１１１３（図１２）と同様な構成を備える他、次に述べる構成を備える。
データ設定部４１１３は、ハンドオーバ指示信号が基地局装置４２からの受信信号として第２送受信部１１６から入力されたとき、設定パラメータ要求信号を生成する。データ設定部４１１３は、生成した設定パラメータ要求信号をＯＡＭ１８への送信信号として第２送受信部１１６に出力する。これにより、設定パラメータの更新を要求する。データ設定部４１１３は、ＯＡＭ１８からの受信信号として第２送受信部１１６から設定パラメータ情報が入力され、入力された設定パラメータ情報を第１送受信部１１４に出力する。第１送受信部１１４は、データ設定部４１１３から入力された設定パラメータ情報を用いて公衆通信モード端末との送信又は受信に係る処理を行う。
【０１２９】
モード制御部４１８は、モード制御部３１８（図１２）と同様な構成を備える他、次に述べる構成を備える。
モード制御部４１８は、公衆通信モード端末を識別する公衆通信モード端末識別情報を自部が備える記憶部に記憶する。公衆通信モード端末とは、相手先装置と公衆通信モードで通信しているＭＴＣ端末装置（例えば、ＭＴＣ端末装置３７）を指す。
モード制御部４１８は、登録処理部４１１１から入力された登録更新受付信号に係るモード変更端末装置について記憶部に記憶したモード変更端末識別情報を公衆通信モード端末識別情報に変更する。モード変更端末装置とは、通信モードが公衆通信モードからＭＴＣ通信モードに変更されたＭＴＣ端末装置である。
【０１３０】
モード制御部４１８は、基地局装置４２からの受信信号としてハンドオーバ指示信号が第２送受信部１１６から入力されたとき、公衆通信モード端末に対して、通信モードをＭＴＣ通信モードに変更する。ここで、モード制御部４１８は、ＭＴＣ通信モードを表す通信モード信号を生成し、生成した通信モード信号を公衆通信モード端末への送信信号として第１送受信部１１４に出力する。モード制御部４１８は、通信モードをＭＴＣ通信モードに変更した公衆通信モード端末について公衆通信モード端末識別情報を、モード変更端末識別情報に変更して記憶部に記憶する。
モード制御部４１８は、ハンドオーバに係る処理が終了した後、自部が備える記憶部からモード変更端末識別情報を読み出し、読み出したモード変更端末識別情報を登録処理部４１１１に出力する。
【０１３１】
通信計測部４１９は、基地局装置４２からの受信信号として同期信号が第２送受信部１１６から入力される。通信計測部４１９は、入力された同期信号に基づいて受信品質を表す指標値を算出し、算出した指標値を表す計測情報を生成する。通信計測部４１９は、生成した計測情報を基地局装置４２等への送信信号として第２送受信部１１６に出力する。通信計測部４１９が算出する指標値は、例えばＳＩＮＲ（Ｓｉｇｎａｌ−ｔｏ−Ｎｏｉｓｅ  Ｉｎｔｅｒｆｅｒｅｎｃｅ  Ｒａｔｉｏ、信号対干渉雑音比）、受信電力、等のいずれか、又はそれらの任意の組み合わせである。
【０１３２】
次に、本実施形態に係る基地局装置４２の構成について説明する。
図１７は、本実施形態に係る基地局装置４２の構成を表す概略図である。
基地局装置４２は、基地局装置１２（図６）の制御部１２１の代わりに制御部４２１を備える。
制御部４２１は、同期信号生成部４２１１、ハンドオーバ決定部４２１２、ハンドオーバ受付部４２１３、ハンドオーバ指示部４２１４及び経路更新部４２１５を含んで構成される。
【０１３３】
同期信号生成部４２１１は、自装置（基地局装置４２）の識別情報（例えば、セルＩＤ）を表す同期信号を生成する。同期信号生成部４２１１は、生成した同期信号をＲＮ４１、その他セル内の端末装置への送信信号として、無線送受信部１２５に予め定めた時間間隔（例えば、１０ｍｓ）で出力する。
【０１３４】
ハンドオーバ決定部４２１２は、計測情報が無線送受信部１２５からＲＮ４１からの受信信号として入力される。
ハンドオーバ決定部４２１２は、ＲＮ４１やその他の移動局装置から受信した計測情報に基づいて、ハンドオーバの要否及び遷移先の基地局装置（例えば、基地局装置４２−２）を決定する。ここで、ハンドオーバ決定部４２１２は、次の遷移条件（１）、（２）をいずれも満足する場合、ハンドオーバを行うと決定する。（１）ＲＮ４１と自装置について過去の受信品質よりも現在の受信品質が低い、（２）他の基地局装置（例えば、基地局装置４２−２）についての計測情報が表す現在の受信品質が過去の受信品質よりも高く、かつ自装置についての受信品質よりも高い。ハンドオーバ決定部４２１２は、これらの条件をいずれも満足する他の基地局装置を遷移先の基地局装置と決定する。
【０１３５】
ハンドオーバ決定部４２１２は、ＲＮ４１との通信に関して遷移先の基地局装置（例えば、基地局装置４２−２）に対してハンドオーバを要求することを示すハンドオーバ要求信号を生成する。ハンドオーバ決定部４２１２は、自己と接続されている移動局装置（例えば、ＲＮ４１）の識別情報と、そのＲＮ４１とＳ／Ｐ−ＧＷ１５との間のベアラを識別するベアラ識別情報をハンドオーバ要求信号に付加する。
ハンドオーバ決定部４２１２は、上述の情報を付加したハンドオーバ要求信号を遷移先の基地局装置４２−２への送信信号としてＣＮ送受信部１２３に出力する。
【０１３６】
ハンドオーバ受付部４２１３は、他の基地局装置（例えば、遷移元の基地局装置４２−１）からの受信信号としてＣＮ送受信部１２３から入力されたハンドオーバ要求信号に基づいてハンドオーバの可否を判断する。ここで、ハンドオーバ受付部４２１３は、ハンドオーバ要求信号から移動局装置（例えば、ＲＮ４１）の識別情報とベアラ識別情報を抽出する。ハンドオーバ受付部４２１３は、例えば、抽出したベアラ識別情報が表すベアラの通信容量の合計値が、自装置（例えば、遷移先の基地局装置４２−２）がデータを送受信できる空き容量よりも小さい場合にハンドオーバが可能であると判断する。ハンドオーバ受付部４２１３は、その合計値が、その空き容量と等しいか、その空き容量よりも多い場合にハンドオーバが不可能であると判断する。ハンドオーバ受付部４２１３は、ハンドオーバが可能であると判断した場合、その旨を示すハンドオーバ受付信号を生成し、ハンドオーバが不可能であると判断した場合、その旨を示すハンドオーバ受付信号を生成する。ハンドオーバ受付部４２１３は、生成したハンドオーバ受付信号を遷移元の基地局装置４２−１への送信信号としてＣＮ送受信部１２３に出力する。ハンドオーバが可能であると判断した場合、ハンドオーバ受付部４２１３は、抽出した基地局装置の識別情報とベアラ情報を経路更新部４２１５に出力する。
【０１３７】
ハンドオーバ指示部４２１４は、ハンドオーバ決定部４２１２がハンドオーバ要求信号を出力した後、予め定めた時間（例えば、９０秒）内に、他の基地局装置４２（例えば、遷移先の基地局装置４２−２）からの受信信号としてハンドオーバ受付信号がＣＮ送受信部１２３から入力されたか否か判断する。入力されたハンドオーバ受付信号が、ハンドオーバが可能であることを示す場合、ハンドオーバ指示部４２１４は、ハンドオーバを行うことを指示するハンドオーバ指示信号を生成する。ハンドオーバ指示部４２１４は、生成したハンドオーバ指示信号をＲＮ４１への送信信号として無線送受信部１２５に出力する。
ハンドオーバ指示部４２１４は、生成したハンドオーバ指示信号を、他の基地局装置４２への送信信号としてＣＮ送受信部１２３に出力する。
入力されたハンドオーバ受付信号が、ハンドオーバが不可能であることを示す場合、又は、予め定めた時間を経過してもハンドオーバ受付信号が入力されない場合、ハンドオーバ指示部４２１４はハンドオーバに係る処理を終了する。
【０１３８】
経路更新部４２１５は、ハンドオーバ受付部４２１３から入力された移動局装置（例えば、ＲＮ４１）の識別情報とベアラ情報に基づいて新たなベアラを取得する。ここで、経路更新部４２１５は、識別情報が示すＲＮ４１を送信元装置とした登録要求信号を生成する。経路更新部４２１５は、生成した登録要求信号をＭＭＥ１３への送信信号としてＣＮ送受信部１２３に出力する。
経路更新部４２１５は、ＭＭＥ１３からの受信信号として登録受付信号がＣＮ送受信部１２３から入力される。経路更新部４２１５は、ＲＮ４１への送信信号として入力された登録受付信号を無線送受信部１２５に出力する。
【０１３９】
次に、本実施形態に係る通信処理について説明する。次に説明する通信処理では、通信システム４において、基地局装置４２−１から基地局装置４２−２へのハンドオーバが行われる場合について例示する。
図１８は、本実施形態に係る通信処理を表すシーケンス図である。
（ステップＳ４０１）基地局装置４２−１、４２−２の同期信号生成部４２１１は、それぞれ自己の識別情報に基づいて生成した同期信号をＲＮ４１に送信する（メジャメント要求）。その後、ステップＳ４０２に進む。
（ステップＳ４０２）ＲＮ４１の通信計測部４１９は、基地局装置４２−１、４２−２からそれぞれ受信した同期信号に基づいて計測情報を生成する。通信計測部４１９は、生成した計測情報を基地局装置４２−１、４２−２に送信する（メジャメント報告）。その後、ステップＳ４０３に進む。
（ステップＳ４０３）基地局装置４２−１のハンドオーバ決定部４２１２は、ＲＮ４１から受信した計測情報に基づいて、上述の遷移条件（１）、（２）をいずれも満足するか否か判断する。いずれも満足すると判断された場合、ハンドオーバ決定部４２１２は、遷移先装置として基地局装置４２−２へのハンドオーバを行うことを決定する。その後、ステップＳ４０４に進む。
【０１４０】
（ステップＳ４０４）基地局装置４２−１のハンドオーバ決定部４２１２は、接続している移動局装置の識別情報と、そのベアラ識別情報を含めて生成したハンドオーバ要求信号を基地局装置４２−２に送信する（ハンドオーバ要求）。基地局装置４２−２のハンドオーバ受付部４２１３は、基地局装置４２−１から受信したハンドオーバ要求信号から移動局装置の識別情報とベアラ識別情報を抽出する。ハンドオーバ決定部４２１２は、抽出したベアラ識別情報に基づいてハンドオーバの可否を判断する。ハンドオーバが可能と判断された場合、ハンドオーバ決定部４２１２は、ハンドオーバ受付信号を基地局装置４２−１に送信する。その後、ステップＳ４０５に進む。
【０１４１】
（ステップＳ４０５）基地局装置４２−１のハンドオーバ指示部４２１４は、基地局装置４２−２からハンドオーバ受付信号を受信した後、ハンドオーバ指示信号をＲＮ４１に送信する。その後、ステップＳ４０６に進む。
（ステップＳ４０６）ＲＮ４１のモード制御部４１８は、基地局装置４２−１からハンドオーバ指示信号を受信した後、ＭＴＣ通信モードを表す通信モード信号をＭＴＣ端末装置３７に送信する。これにより、ＭＴＣ端末装置３７は、ＭＴＣ通信モードで通信を行う。その後、ステップＳ４０７に進む。
【０１４２】
（ステップＳ４０７）ＲＮ４１のデータ設定部４１１３は、設定パラメータ要求信号をＯＡＭ１８に送信する（パラメータ変更要求）。
ＯＡＭ１８は、ＲＮ４１から設定パラメータ要求信号を受信し、ＲＮ１１に設定パラメータ情報を送信する。
ＲＮ４１の第１送受信部１１４は、ＯＡＭ１８から受信した設定パラメータ情報を用いてＭＴＣ端末装置３７との間で送信又は受信に係る処理を行えるようになる。その後、ステップＳ４０８に進む。
【０１４３】
（ステップＳ４０８）基地局装置４２−２の経路更新部４２１５は、ハンドオーバ受付部４２１３から入力された識別情報に基づいて登録要求信号を生成し、生成した登録要求信号をＭＭＥ１３に送信する。
ＭＭＥ１３は、基地局装置４２−２から受信した登録要求信号に基づいてステップＳ２０５、２０６（図１１）を実行し、基地局装置４２−２に登録受付信号を送信する。基地局装置４２−２の経路更新部４２１５は、ＭＭＥ１３から受信した登録受付信号をＲＮ４１に送信する（経路更新）。
ＲＮ４１の登録処理部４１１１は、基地局装置４２−２から受信した登録受付信号から抽出してベアラ情報をデータ転送部１１１８に出力する。その後、ステップＳ４０９に進む。
【０１４４】
（ステップＳ４０９）ＲＮ４１の登録処理部４１１１は、ハンドオーバ完了信号を基地局装置４２−２に送信する。その後、ステップＳ４１０に進む。
（ステップＳ４１０）ＲＮ４１のデータ転送部１１１８は、ＭＴＣ端末装置３７から受信したデータパケットの送信先アドレス情報を、アドレス記憶部１１１７から読み出した送信先アドレスに置き換える。データ転送部１１１８は、登録処理部４１１１から入力されたベアラ情報が表す送信元アドレス情報と送信先アドレス情報を含むトンネリングヘッダを生成する。データ転送部１１１８は、送信先アドレスを置き換えたデータパケットに生成したトンネリングヘッダを付加して新たなデータパケットを生成する。これにより、データ転送部１１１８は、生成したデータパケットをＳ／Ｐ−ＧＷ１５を経由してＭＴＣサーバ装置１６に送信する。これにより、ＲＮ４１はＭＴＣ端末装置３７から受信したデータを、物理的に基地局装置４２−２、Ｓ／Ｐ−ＧＷ１５を経由してＭＴＣサーバ装置１６に送信する。その後、処理を終了する。
【０１４５】
次に、本実施形態に係る通信処理の変形例について説明する。この変形例は、ハンドオーバが完了した後に、通信モードをＭＴＣ通信モードから公衆通信モードに変更する処理に関する。この処理は、ハンドオーバが行われる前に公衆通信モードで通信していたモード変更端末（例えば、ＭＴＣ端末装置３７）について行われる。
【０１４６】
図１９は、本実施形態に係る通信処理の変形例を表すシーケンス図である。
（ステップＳ４１１）ＲＮ４１の登録処理部４１１１は、モード制御部４１８から入力されたモード変更端末識別情報に基づいて登録更新要求信号を生成する。登録処理部４１１１は、生成した登録更新要求信号を、ＭＭＥ１３へ送信する。
ＭＭＥ１３は、受信した登録更新要求信号が表すＲＮ４１の識別情報と基地局装置４２−２の識別情報を対応付けて記憶する。また、ＭＭＥ１３は、ステップＳ２０５、２０６を実行してベアラ情報を取得する。その後、ステップＳ４１２に進む。
【０１４７】
（ステップＳ４１２）ＭＭＥ１３は、取得したベアラ情報を含めて登録更新受付信号を生成し、生成した登録更新受付信号をＲＮ４１に送信する。
ＲＮ４１の登録処理部４１１１は、ＭＭＥ１３から受信した登録更新受付信号をＭＴＣ端末装置３７に送信する。ＭＴＣ端末装置３７のＭＭＥ登録要求部３７３４は、ＲＮ４１から登録更新受付信号を受信する。その後、ステップＳ４１３に進む。
（ステップＳ４１３）ＲＮ４１のモード制御部４１８は、公衆通信モードを表す通信モード信号を生成し、生成した通信モード信号をＭＴＣ端末装置３７に送信する（ＭＴＣ通信モード解除）。ＭＴＣ端末装置３７のＭＭＥ登録要求部３７３４は、ベアラ情報から送信元アドレス情報と送信先アドレス情報を抽出してパケット処理部２７３３に出力する。その後、ステップＳ４１４に進む。
【０１４８】
（ステップＳ４１４）ＭＴＣ端末装置３７のパケット処理部２７３３は、ＭＭＥ登録要求部３７３４から入力された送信元アドレス情報と送信先アドレス情報に基づいて、ヘッダ及びトンネリングヘッダを生成する。パケット処理部２７３３は、送信データに生成したヘッダとトンネリングヘッダを付加してトンネリングデータパケットを生成する。パケット処理部２７３３は、生成したトンネリングデータパケットをＳ／Ｐ−ＧＷ１５を経由してＭＴＣサーバ装置１６に送信する。これによりＭＴＣ端末装置３７からＭＴＣサーバ装置１６へデータが送信される。その後、処理を終了する。
【０１４９】
なお、ステップＳ２０９ｂ（図１１）と同様に、ＭＴＣ端末装置３７は、送信先装置としてＭＴＣサーバ装置１６以外のネットワークに接続された送信先装置（例えば、サーバ装置１９）のアドレス情報を用いて、その送信先装置にデータを送信してもよい（図１９  ステップＳ４１４ｂ）。
【０１５０】
以上に説明したように、本実施形態では、通信システム４において、ＲＮ４１は、接続されている基地局装置４２−１を他の基地局装置４２−２に変更する際、ＲＮ４１とＳ／Ｐ−ＧW１５との間の通信経路を用いてデータを転送すると判定する。これにより、基地局装置の変更前に、ＭＴＣ端末装置３７とのデータの送受信に用いられる通信経路をＲＮ４１とＳ／Ｐ−ＧW１５との間の通信経路に限定することができる。従って、基地局装置変更中において、ＭＭＥ１３とＭＴＣ端末装置３７もしくは他の装置とのシグナリングに係る通信量を限定することができる。
【０１５１】
なお、上述の各実施形態では、ＲＮ１１、２１、３１、４１は、ＭＴＣ端末装置１７、２７、３７以外に、他の移動局装置とのデータの送受信を行うようにしてもよい。ここで、ＲＮ１１、２１、３１、４１は、他の移動局装置とのデータの送受信を行うか否か、他の移動局装置と送受信する通信量の割合を、可変にしてもよい。例えば、ＲＮ１１、２１、３１、４１は、ＭＴＣ端末装置１７、２７、３７と送受信されるデータの通信量が予め定めた通信量よりも多い場合に、他の移動局装置との送受信を行わないようにしてもよい。また、ＲＮ１１、２１、３１、４１は、ＭＴＣ端末装置１７、２７、３７と送受信されるデータの通信量が多いほど、他の移動局装置と送受信できるデータの通信量を少なくしてもよい。
【０１５２】
上述では、ＭＴＣ端末装置１７、２７、３７からＭＴＣサーバ装置１６にデータを送信する場合を例にとって説明したが、上述の各実施形態ではこれには限られない。上述の各実施形態では、ＭＴＣサーバ装置１６が、ＭＴＣ端末装置１７、２７、３７にデータを送信するようにしてもよい。
【０１５３】
上述の各実施形態では、ＭＴＣ端末装置１７、２７、３７、ＲＮ１１、２１、３１、４１及び基地局装置１２、４２相互間で共通の通信方式（例えば、ＬＴＥ（Ｌｏｎｇ  Ｔｅｒｍ  Ｅｖｏｌｕｔｉｏｎ）等）を用いてもよい。また、ＭＴＣ端末装置１７、２７、３７ならびにＲＮ１１、２１、３１、４１との間、ＲＮ１１、２１、３１、４１ならびに基地局装置１２、４２との間で、それぞれ異なった通信方式を用いてもよい。例えば、ＲＮ１１、２１、３１、４１と基地局装置１２、４２との間ではＬＴＥ等の公衆無線通信網で用いられている方式を用いる。これに対し、ＭＴＣ端末装置１７、２７、３７とＲＮ１１、２１、３１、４１との間では、ＩＥＥＥ．８０２．１５．１等の近距離無線通信網で用いられている方式を用いてもよい。
【０１５４】
モード制御部３１８、４１８は、自装置（ＲＮ３１、４１）と接続されているＭＴＣ端末装置３７の個数やその通信量が予め定めた一定量を下回る場合に、通信モードを公衆通信モードに変更してもよい。ＭＴＣ処理部２１１、４１１が、他の機能部とは独立に電源の供給を受けている場合、公衆通信モードに変更された後で、電源の供給が停止されるようにしてもよい。これにより、消費電力を低減することができる。
なお、上述では、モード制御部３１８、４１８は、自装置（ＲＮ３１、４１）と接続されているＭＴＣ端末装置３７の個数やその通信量に基づいて動作モードを判定する場合を例にとって説明したが、本実施形態ではこれには限られない。モード制御部３１８、４１８は、自装置（ＲＮ３１、４１）と基地局装置１２、４２との間の通信量や伝搬特性、ＭＭＥ１３その他、ＣＮ５２に接続されている機器における処理負荷、ＣＮ５２における通信量に基づいて動作モードを判定してもよい。
【０１５５】
ＲＮ１１、２１、３１、４１と基地局装置１２、４２との間の通信は、無線回線に限らず、有線回線を用いてもよい。例えば、ＲＮ１１、２１、３１、４１は、張り出し無線装置（ＲＲＥ；Ｒｅｍｏｔｅ  Ｒａｄｉｏ  Ｅｑｕｉｐｍｅｎｔ）であってもよいし、無線回線と有線回線を併用してもよい。
ＲＮ１１、２１、３１、４１が無線回線と有線回線を併用している場合、例えば、保守点検等の目的で、無線回線と有線回線のいずれか（例えば、有線回線）を切断し、その後、再度接続することがある。その場合、ＲＮ４１は、上述の第４の実施形態と同様に、いずれかの回線を切断する前に、切断する回線に接続されたＭＴＣ端末装置３７に対しステップＳ４０６（図１８）を実行してもよい。そして、切断した回線を再度接続した後で、ＲＮ４１は、ステップＳ４１１−Ｓ４１４（図１８）を実行する。これにより、継続して接続される回線を用いて、通信が継続される。また、ＲＮ４１は、回線が切断されている間に、送信元装置から受信したデータを蓄積する記憶部を備え、回線が再度接続された後で、記憶部に蓄積したデータを送信先装置に送信するようにしてもよい。これにより、回線が一時的に切断されても確実にデータが送受信されるようにする。
【０１５６】
なお、上述した実施形態におけるＲＮ１１、２１、３１、４１、又はＭＴＣ端末装置１７、２７、３７の一部をそれぞれ、例えば、ＭＴＣ処理部１１１、２１１、４１１、モード制御部３１８、４１８、通信計測部４１９、及び通信処理部１７３１、２７３１、３７３１をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＲＮ１１、２１、３１、４１、又はＭＴＣ端末装置１７、２７、３７に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態におけるＲＮ１１、２１、３１、４１、又はＭＴＣ端末装置１７、２７、３７の一部、または全部を、ＬＳＩ（Ｌａｒｇｅ  Ｓｃａｌｅ  Ｉｎｔｅｇｒａｔｉｏｎ）等の集積回路として実現しても良い。ＲＮ１１、２１、３１、４１、又はＭＴＣ端末装置１７、２７、３７の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【０１５７】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１５８】
１、２、３、４…通信システム、
１１、２１、３１、４１…ＲＮ、１１１、２１１、４１１…ＭＴＣ処理部、
１１１１、２１１１、４１１１…登録処理部、１１１３、４１１３…データ設定部、
１１１４…機器判定部、１１１５…ＭＴＣ情報記憶部、１１１６…アドレス管理部、
１１１７…アドレス記憶部、１１１８…データ転送部、
１１３…接続要求部、１１４…第１送受信部、１１５…第１無線ＩＦ部、
１１６…第２送受信部、１１７…第２無線ＩＦ部、３１８、４１８…モード制御部、
４１９…通信計測部、
１２、４２（４２−１、４２−２）…基地局装置、
１２１、４２１…制御部、４２１１…同期信号生成部、４２１２…ハンドオーバ決定部、
４２１３…ハンドオーバ受付部、４２１４…ハンドオーバ指示部、４２１５…経路更新部、
１２２…ＣＮ−ＩＦ部、１２３…ＣＮ送受信部、１２４…無線ＩＦ部、
１２５…無線送受信部、１２６…データ転送部
１３…ＭＭＥ、１４…ＨＳＳ、１５…Ｓ／Ｐ−ＧＷ、１６…ＭＴＣサーバ装置
１７、２７、３７…ＭＴＣ端末装置、
１７１…ＣＰＵ、１７２…記憶部、１７３…無線送受信部、
１７３１、２７３１、３７３１…通信処理部、
１７３２…ＭＴＣ接続要求部、１７３３、２７３３…パケット処理部、
２７３４、３７３４…ＭＭＥ登録要求部
１７４…無線ＩＦ部、
１７５…センサ部、１７６…Ａ／Ｄ変換部、１７７…タイマー部、１７８…電源制御部、１７９…電源、
１８…ＯＡＭ、
５１…ＲＡＮ、５２…ＣＮ、５３…ＷＡＮ
【図１】
2013239817.tif 000003
【図２】
2013239817.tif 000004
【図３】
2013239817.tif 000005
【図４】
2013239817.tif 000006
【図５】
2013239817.tif 000007
【図６】
2013239817.tif 000008
【図７】
2013239817.tif 000009
【図８】
2013239817.tif 000010
【図９】
2013239817.tif 000011
【図１０】
2013239817.tif 000012
【図１１】
2013239817.tif 000013
【図１２】
2013239817.tif 000014
【図１３】
2013239817.tif 000015
【図１４】
2013239817.tif 000016
【図１５】
2013239817.tif 000017
【図１６】
2013239817.tif 000018
【図１７】
2013239817.tif 000019
【図１８】
2013239817.tif 000020
【図１９】
2013239817.tif 000021